(57)【要約】【課題】拡張コンポーネントキャリアのためのタイミングアドバンス設計を提供する。【解決手段】ワイヤレス通信のための方法、システム、およびデバイスについて説明する。基地局は、時分割複信(TDD)を使用する共有無線周波数(RF)スペクトル帯域上でダウンリンク(DL)送信とアップリンク(UL)送信との間の送信ギャップを確立し得る。ギャップの長さは、基地局のカバレージエリアに対応するフィラー信号の最大許容長さに少なくとも部分的に基づき得る。共有帯域を確保するために、ユーザ機器(UE)は、最大許容長さおよびUEと基地局との間の地理的距離に少なくとも部分的に基づく時間の長さの間に、フィラー信号を通信し得る。基地局から遠いUEは、UL送信を送る前に、より短い長さのフィラー信号を送信し、その結果、異なるUEからのUL送信は、UE間の地理的距離にかかわらず、基地局に同時に到着する。【選択図】図２
2020043599.tif 000002
【特許請求の範囲】
【請求項１】
ワイヤレス通信の方法であって、
基地局によって構成されたパラメータに少なくとも部分的に基づいて、フィラー信号の長さを識別するステップと、
識別された前記長さの前記フィラー信号を送信して、共有無線周波数(RF)スペクトル帯域へのアクセスを確保するステップであって、前記フィラー信号が、時分割複信(TDD)におけるダウンリンク(DL)送信とアップリンク(UL)送信との間で生じる送信ギャップの間に送信される、ステップと、
前記フィラー信号の前記送信の後に、確保された前記共有RFスペクトル帯域上で前記UL送信を送信するステップと
を含む方法。
【請求項２】
前記パラメータが、前記基地局と前記基地局のカバレージエリアのエッジとの間の最大往復信号遅延の長さに対応する、請求項1に記載の方法。
【請求項３】
前記基地局によって構成された前記パラメータから前記フィラー信号の最大許容長さを導出するステップ
をさらに含む、請求項1に記載の方法。
【請求項４】
前記フィラー信号の識別された前記長さが、タイミングアドバンス値に少なくとも部分的に基づく、請求項1に記載の方法。
【請求項５】
前記フィラー信号の識別された前記長さが、前記フィラー信号の最大許容長さと前記タイミングアドバンス値との間の差に少なくとも部分的に基づく、請求項4に記載の方法。
【請求項６】
前記送信ギャップの長さが、ガード期間の長さ、前記タイミングアドバンス値、および前記フィラー信号の最大許容長さに少なくとも部分的に基づく、請求項4に記載の方法。
【請求項７】
前記送信ギャップの前記長さが、前記タイミングアドバンス値の更新に少なくとも部分的に基づく前記フィラー信号の識別された前記長さの変更によって経時的に変化する、請求項6に記載の方法。
【請求項８】
前記フィラー信号が、固定長部分および可変長部分から構成される、請求項7に記載の方法。
【請求項９】
前記固定長部分が、前記フィラー信号に対する最小の指定された長さを有し、前記可変長部分が、前記タイミングアドバンス値の更新に少なくとも部分的に基づいて決定された長さを有する、請求項8に記載の方法。
【請求項１０】
前記フィラー信号の前記最大許容長さおよび前記ガード期間の長さが、定数である、請求項7に記載の方法。
【請求項１１】
前記DL送信の終わりおよび前記ガード期間の長さの始まりを識別するステップ
をさらに含む、請求項6に記載の方法。
【請求項１２】
前記フィラー信号を送信する前に、前記ガード期間の長さが満了したと決定するステップ
をさらに含む、請求項11に記載の方法。
【請求項１３】
更新されたタイミングアドバンス値を識別するステップと、
前記フィラー信号の最大許容長さおよび前記更新されたタイミングアドバンス値に少なくとも部分的に基づいて、前記フィラー信号の更新された長さを識別するステップと、
後続のDL送信と後続のUL送信との間で生じる後続の送信ギャップの間に、前記更新された長さの後続のフィラー信号を送信するステップと、
前記後続のフィラー信号の前記送信の後に、前記後続のUL送信を送信するステップと
をさらに含む、請求項4に記載の方法。
【請求項１４】
ワイヤレス通信の方法であって、
基地局により、前記基地局のカバレージエリアに対するフィラー信号のパラメータを決定するステップであって、前記基地局が、時分割複信(TDD)を使用する共有無線周波数(RF)スペクトル帯域上で前記カバレージエリア内の複数のユーザ機器(UE)と通信するように構成される、ステップと、
ダウンリンク(DL)送信の終わりの後の送信ギャップの間に前記フィラー信号を送信することによって、前記フィラー信号の前記パラメータおよび前記共有RFスペクトル帯域を確保しようと試みるための許可を前記複数のUEのうちの少なくとも1つのUEに送信するステップと
を含む方法。
【請求項１５】
前記フィラー信号の前記パラメータが、前記カバレージエリアのエッジと前記基地局との間の最大往復信号遅延の長さに対応する、請求項14に記載の方法。
【請求項１６】
前記フィラー信号の前記パラメータの前記送信が、ブロードキャストシグナリングまたは上位レイヤシグナリングを介して前記DL送信の前に行われる、請求項14に記載の方法。
【請求項１７】
前記フィラー信号の前記パラメータの前記送信が、前記DL送信の一部である、請求項14に記載の方法。
【請求項１８】
前記基地局と前記複数のUEのうちの前記少なくとも1つのUEとの間の伝搬遅延に少なくとも部分的に基づいて、前記複数のUEのうちの前記少なくとも1つのUEに対するタイミングアドバンス値を識別するステップ
をさらに含む、請求項14に記載の方法。
【請求項１９】
前記フィラー信号の前記パラメータおよび前記タイミングアドバンス値に少なくとも部分的に基づいて、前記少なくとも1つのUEに対する前記フィラー信号の長さを識別するステップ
をさらに含む、請求項18に記載の方法。
【請求項２０】
前記許可が、前記少なくとも1つのUEが識別された前記長さの前記フィラー信号を送信することによって前記共有RFスペクトル帯域を確保しようと試みることを許可する、請求項19に記載の方法。
【請求項２１】
前記許可が、前記送信ギャップの長さ、前記フィラー信号の識別された前記長さ、ガード期間の長さ、またはそれらの組合せのうちの少なくとも1つを識別する、請求項20に記載の方法。
【請求項２２】
前記送信ギャップが、ガード期間の長さおよび前記フィラー信号の前記パラメータに少なくとも部分的に基づく、請求項14に記載の方法。
【請求項２３】
前記DL送信の終わりの後に、ガード期間の長さと前記フィラー信号の前記パラメータによって指定された長さとの合計に対応する長さの後の前記少なくとも1つのUEからのUL送信のための共有RFスペクトル探索を処理することを開始するステップ
をさらに含む、請求項14に記載の方法。
【請求項２４】
ワイヤレス通信のための装置であって、
プロセッサと、
前記プロセッサと電子通信しているメモリと、
前記メモリに記憶された命令と
を備え、
前記命令は、前記プロセッサによって実行されると、前記プロセッサに、
基地局によって構成されたフィラー信号のパラメータに少なくとも部分的に基づいて、前記フィラー信号の長さを識別することと、
識別された前記長さの前記フィラー信号を送信して、共有無線周波数(RF)スペクトル帯域へのアクセスを確保することであって、前記フィラー信号が、時分割複信(TDD)におけるダウンリンク(DL)送信とアップリンク(UL)送信との間で生じる送信ギャップの間に送信される、ことと、
前記フィラー信号の前記送信の後に、確保された前記共有RFスペクトル帯域上で前記UL送信を送信することと
を行わせる、装置。
【請求項２５】
前記フィラー信号の前記パラメータが、前記基地局と前記基地局のカバレージエリアのエッジとの間の最大往復信号遅延の長さに対応する、請求項24に記載の装置。
【請求項２６】
前記命令が、前記プロセッサに、
前記基地局によって構成された前記パラメータから前記フィラー信号の最大許容長さを導出すること
をさらに行わせる、請求項24に記載の装置。
【請求項２７】
前記フィラー信号の識別された前記長さが、タイミングアドバンス値に少なくとも部分的に基づく、請求項24に記載の装置。
【請求項２８】
ワイヤレス通信のための装置であって、
プロセッサと、
前記プロセッサと電子通信しているメモリと、
前記メモリに記憶された命令と
を備え、
前記命令は、前記プロセッサによって実行されると、前記プロセッサに、
基地局のカバレージエリアに対するフィラー信号のパラメータを決定することであって、前記基地局が、時分割複信(TDD)を使用する共有無線周波数(RF)スペクトル帯域上で前記カバレージエリア内の複数のユーザ機器(UE)と通信するように構成される、ことと、
ダウンリンク(DL)送信の終わりの後の送信ギャップの間に前記フィラー信号を送信することによって、前記フィラー信号の前記パラメータおよび前記共有RFスペクトル帯域を確保しようと試みるための許可を前記複数のUEのうちの少なくとも1つのUEに送信することと
を行わせる、装置。
【請求項２９】
前記命令が、前記プロセッサに、
前記基地局と前記少なくとも1つのUEとの間の伝搬遅延に少なくとも部分的に基づいて、前記少なくとも1つのUEに対するタイミングアドバンス値を識別すること
をさらに行わせる、請求項28に記載の装置。
【請求項３０】
前記命令が、前記プロセッサに、
前記フィラー信号の前記パラメータおよび前記タイミングアドバンス値に少なくとも部分的に基づいて、前記少なくとも1つのUEに対する前記フィラー信号の長さを識別すること
をさらに行わせる、請求項29に記載の装置。
【発明の詳細な説明】
【技術分野】
【０００１】
相互参照
本特許出願は、各々が本出願の譲受人に譲渡された、2017年3月30日に出願された「Timing Advance Design For Enhanced Component Carrier」と題するYooらによる米国特許出願第15/474,883号、および2016年4月1日に出願された「Timing Advance Design For Enhanced Component Carrier」と題するYooらによる米国仮特許出願第62/316,944号の優先権を主張する。
【０００２】
以下は、一般にワイヤレス通信に関し、より詳細には、タイミングアドバンス設計に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。ワイヤレス多元接続通信システムは、各々がユーザ機器(UE)と呼ばれることがある複数の通信デバイスのための通信を各々が同時にサポートする、いくつかの基地局を含み得る。
【０００４】
従来のシステムでは、基地局は、共有または無認可無線周波数スペクトル帯域においてUEと通信し得る。無認可スペクトルにおいて通信するとき、ダウンリンク(DL)送信とアップリンク(UL)送信との間のギャップがある場合があり、ギャップの間にUEが共有スペクトルを確保しようと試みることがある。場合によっては、UEは、基地局までの地理的距離に基づいて伝搬遅延を考慮するために、異なる時間にUL送信を開始することがある。
【０００５】
時間的に同期していないUL送信は、基地局における計算の複雑性を増大させることがある。非整合UL送信はまた、UE間の干渉をもたらすことがある。このことは、追加のシステムコストまたは低減されたシステムスループットをもたらすことがある。
【発明の概要】
【課題を解決するための手段】
【０００６】
基地局は、時分割複信(TDD)を使用する共有無線周波数(RF)スペクトル帯域上でダウンリンク(DL)送信とアップリンク(UL)送信との間の送信ギャップを確立し得る。ギャップの長さは、基地局のカバレージエリアに対応するフィラー信号の最大許容長さに少なくとも部分的に基づき得る。共有帯域を確保するために、ユーザ機器(UE)は、最大許容長さおよびUEと基地局との間の地理的距離に少なくとも部分的に基づく時間の長さの間に、フィラー信号を通信し得る。基地局から遠いUEは、UL送信を送る前に、より短い長さのフィラー信号を送信し、その結果、異なるUEからのUL送信は、UE間の地理的距離にかかわらず、基地局に同時に到着する。一般に、説明する技法は、たとえば、拡張コンポーネントキャリア(eCC)、ライセンス補助アクセス(LAA:Licensed Assisted Access)コンポーネントキャリア(CC)、ニューラジオ(NR:New Radio)システム(たとえば、5G)、MuLTEFireネットワークなどを使用するタイプのワイヤレス送信に使用され得るタイミングアドバンス設計を実現する。
【０００７】
ワイヤレス通信の方法について説明する。方法は、基地局によって構成されたフィラー信号の最大許容長さに少なくとも部分的に基づいて、フィラー信号の長さを識別するステップと、識別された長さのフィラー信号を送信して、共有RFスペクトル帯域へのアクセスを確保するステップであって、フィラー信号が、TDDにおけるDL送信とUL送信との間で生じる送信ギャップの間に送信される、ステップと、フィラー信号の送信の後に、確保された共有RFスペクトル帯域上でUL送信を送信するステップとを含み得る。
【０００８】
ワイヤレス通信のための装置について説明する。装置は、基地局によって構成されたフィラー信号の最大許容長さに少なくとも部分的に基づいて、フィラー信号の長さを識別するための手段と、識別された長さのフィラー信号を送信して、共有RFスペクトル帯域へのアクセスを確保するための手段であって、フィラー信号が、TDDにおけるDL送信とUL送信との間で生じる送信ギャップの間に送信される、手段と、フィラー信号の送信の後に、確保された共有RFスペクトル帯域上でUL送信を送信するための手段とを含み得る。
【０００９】
さらなる装置について説明する。装置は、プロセッサと、プロセッサと電子通信しているメモリと、メモリに記憶された命令とを含み得る。命令は、基地局によって構成されたフィラー信号の最大許容長さに少なくとも部分的に基づいて、フィラー信号の長さを識別することと、識別された長さのフィラー信号を送信して、共有RFスペクトル帯域へのアクセスを確保することであって、フィラー信号が、TDDにおけるDL送信とUL送信との間で生じる送信ギャップの間に送信される、送信することと、フィラー信号の送信の後に、確保された共有RFスペクトル帯域上でUL送信を送信することとをプロセッサに行わせるように動作可能であり得る。
【００１０】
ワイヤレス通信のための非一時的コンピュータ可読媒体について説明する。非一時的コンピュータ可読媒体は、基地局によって構成されたフィラー信号の最大許容長さに少なくとも部分的に基づいて、フィラー信号の長さを識別することと、識別された長さのフィラー信号を送信して、共有RFスペクトル帯域へのアクセスを確保することであって、フィラー信号が、TDDにおけるDL送信とUL送信との間で生じる送信ギャップの間に送信される、送信することと、フィラー信号の送信の後に、確保された共有RFスペクトル帯域上でUL送信を送信することとをプロセッサに行わせるための命令を含み得る。
【００１１】
上記で説明した方法、装置、または非一時的コンピュータ可読媒体のいくつかの例では、フィラー信号の最大許容長さは、基地局と基地局のカバレージエリアのエッジとの間の最大往復信号遅延の長さに対応する。上記で説明した方法、装置、または非一時的コンピュータ可読媒体のいくつかの例は、基地局によって構成されたパラメータからフィラー信号の最大許容長さを導出するためのプロセス、特徴、手段、または命令をさらに含み得る。
【００１２】
上記で説明した方法、装置、または非一時的コンピュータ可読媒体のいくつかの例では、フィラー信号の識別された長さは、タイミングアドバンス値に少なくとも部分的に基づき、タイミングアドバンス値は、UEと基地局との間の伝搬遅延に少なくとも部分的に基づく。上記で説明した方法、装置、または非一時的コンピュータ可読媒体のいくつかの例では、フィラー信号の識別された長さは、フィラー信号の最大許容長さとタイミングアドバンス値との間の差に少なくとも部分的に基づく。
【００１３】
上記で説明した方法、装置、または非一時的コンピュータ可読媒体のいくつかの例では、送信ギャップの長さは、ガード期間の長さ、タイミングアドバンス値、およびフィラー信号の最大許容長さに少なくとも部分的に基づく。上記で説明した方法、装置、または非一時的コンピュータ可読媒体のいくつかの例では、送信ギャップの長さは、タイミングアドバンス値の更新に少なくとも部分的に基づくフィラー信号の識別された長さの変更によって経時的に変化する。
【００１４】
上記で説明した方法、装置、または非一時的コンピュータ可読媒体のいくつかの例では、フィラー信号は、固定長部分および可変長部分から構成される。上記で説明した方法、装置、または非一時的コンピュータ可読媒体のいくつかの例では、固定長部分は、フィラー信号に対する最小の指定された長さを有し、可変長部分は、タイミングアドバンス値の更新に少なくとも部分的に基づいて決定された長さを有する。
【００１５】
上記で説明した方法、装置、または非一時的コンピュータ可読媒体のいくつかの例では、フィラー信号の最大許容長さおよびガード期間の長さは、定数である。上記で説明した方法、装置、または非一時的コンピュータ可読媒体のいくつかの例は、DL送信の終わりおよびガード期間の長さの始まりを識別するためのプロセス、特徴、手段、または命令をさらに含み得る。
【００１６】
上記で説明した方法、装置、または非一時的コンピュータ可読媒体のいくつかの例は、フィラー信号を送信する前に、ガード期間の長さが満了したと決定するためのプロセス、特徴、手段、または命令をさらに含み得る。
【００１７】
上記で説明した方法、装置、または非一時的コンピュータ可読媒体のいくつかの例は、更新されたタイミングアドバンス値を識別するためのプロセス、特徴、手段、または命令をさらに含み得る。上記で説明した方法、装置、または非一時的コンピュータ可読媒体のいくつかの例は、フィラー信号の最大許容長さおよび更新されたタイミングアドバンス値に少なくとも部分的に基づいて、フィラー信号の更新された長さを識別するためのプロセス、特徴、手段、または命令をさらに含み得る。上記で説明した方法、装置、または非一時的コンピュータ可読媒体のいくつかの例は、後続のDL送信と後続のUL送信との間で生じる後続の送信ギャップの間に、更新された長さの後続のフィラー信号を送信するためのプロセス、特徴、手段、または命令をさらに含み得る。上記で説明した方法、装置、または非一時的コンピュータ可読媒体のいくつかの例は、後続のフィラー信号の送信の後に、後続のUL送信を送信するためのプロセス、特徴、手段、または命令をさらに含み得る。
【００１８】
ワイヤレス通信の方法について説明する。方法は、基地局により、基地局のカバレージエリアに対するフィラー信号の最大許容長さを決定するステップであって、基地局が、TDDを使用する共有RFスペクトル帯域上でカバレージエリア内の複数のUEと通信するように構成される、ステップと、DL送信の終わりの後の送信ギャップの間にフィラー信号を送信することによって、フィラー信号の最大許容長さおよび共有RFスペクトル帯域を確保しようと試みるための許可をUEのうちの少なくとも1つのUEに送信するステップとを含み得る。
【００１９】
ワイヤレス通信のための装置について説明する。装置は、基地局により、基地局のカバレージエリアに対するフィラー信号の最大許容長さを決定するための手段であって、基地局が、TDDを使用する共有RFスペクトル帯域上でカバレージエリア内の複数のUEと通信するように構成される、手段と、DL送信の終わりの後の送信ギャップの間にフィラー信号を送信することによって、フィラー信号の最大許容長さおよび共有RFスペクトル帯域を確保しようと試みるための許可をUEのうちの少なくとも1つのUEに送信するための手段とを含み得る。
【００２０】
さらなる装置について説明する。装置は、プロセッサと、プロセッサと電子通信しているメモリと、メモリに記憶された命令とを含み得る。命令は、基地局により、基地局のカバレージエリアに対するフィラー信号の最大許容長さを決定することであって、基地局が、TDDを使用する共有RFスペクトル帯域上でカバレージエリア内の複数のUEと通信するように構成される、決定することと、DL送信の終わりの後の送信ギャップの間にフィラー信号を送信することによって、フィラー信号の最大許容長さおよび共有RFスペクトル帯域を確保しようと試みるための許可をUEのうちの少なくとも1つのUEに送信することとをプロセッサに行わせるように動作可能であり得る。
【００２１】
ワイヤレス通信のための非一時的コンピュータ可読媒体について説明する。非一時的コンピュータ可読媒体は、基地局により、基地局のカバレージエリアに対するフィラー信号の最大許容長さを決定することであって、基地局が、TDDを使用する共有RFスペクトル帯域上でカバレージエリア内のUEのセットと通信するように構成される、決定することと、DL送信の終わりの後の送信ギャップの間にフィラー信号を送信することによって、フィラー信号の最大許容長さおよび共有RFスペクトル帯域を確保しようと試みるための許可をUEのうちの少なくとも1つのUEに送信することとをプロセッサに行わせるための命令を含み得る。
【００２２】
上記で説明した方法、装置、または非一時的コンピュータ可読媒体のいくつかの例では、フィラー信号の最大許容長さは、カバレージエリアのエッジと基地局との間の最大往復信号遅延の長さに対応する。上記で説明した方法、装置、または非一時的コンピュータ可読媒体のいくつかの例では、フィラー信号の最大許容長さの送信は、ブロードキャストシグナリングまたは上位レイヤシグナリングを介してDL送信の前に行われる。
【００２３】
上記で説明した方法、装置、または非一時的コンピュータ可読媒体のいくつかの例では、フィラー信号の最大許容長さの送信は、DL送信の一部である。上記で説明した方法、装置、または非一時的コンピュータ可読媒体のいくつかの例は、基地局と少なくとも1つのUEとの間の伝搬遅延に少なくとも部分的に基づいて、少なくとも1つのUEに対するタイミングアドバンス値を識別するためのプロセス、特徴、手段、または命令をさらに含み得る。
【００２４】
上記で説明した方法、装置、または非一時的コンピュータ可読媒体のいくつかの例は、フィラー信号の最大許容長さおよびタイミングアドバンス値に少なくとも部分的に基づいて、少なくとも1つのUEに対するフィラー信号の長さを識別するためのプロセス、特徴、手段、または命令をさらに含み得る。上記で説明した方法、装置、または非一時的コンピュータ可読媒体のいくつかの例では、許可は、少なくとも1つのUEが識別された長さのフィラー信号を送信することによって共有RFスペクトル帯域を確保しようと試みることを許可する。
【００２５】
上記で説明した方法、装置、または非一時的コンピュータ可読媒体のいくつかの例では、許可は、送信ギャップの長さ、フィラー信号の識別された長さ、ガード期間の長さ、またはそれらの組合せのうちの少なくとも1つを識別する。上記で説明した方法、装置、または非一時的コンピュータ可読媒体のいくつかの例では、送信ギャップは、ガード期間の長さおよびフィラー信号の最大許容長さに少なくとも部分的に基づく。
【００２６】
上記で説明した方法、装置、または非一時的コンピュータ可読媒体のいくつかの例は、DL送信の終わりの後に、ガード期間の長さとフィラー信号の最大許容長さによって指定された長さとの合計に対応する長さの後の少なくとも1つのUEからのUL送信のための共有RFスペクトル探索を処理することを開始するためのプロセス、特徴、手段、または命令をさらに含み得る。
【００２７】
上記では、以下の発明を実施するための形態がより良く理解され得るように、本開示による例の特徴および技術的利点についてかなり広く概説した。追加の特徴および利点について、以下で説明する。開示する概念および具体例は、本開示の同じ目的を実行するための他の構造を修正または設計するための基礎として容易に利用され得る。そのような等価な構造は、添付の特許請求の範囲から逸脱しない。本明細書で開示する概念の特性、それらの編成と動作方法の両方は、添付の図とともに検討されると、関連する利点とともに以下の説明からより良く理解されよう。図の各々は、例示および説明の目的でのみ与えられるものであり、特許請求の範囲の制限の定義として与えられるものではない。
【図面の簡単な説明】
【００２８】
【図１】本開示の1つまたは複数の態様による、タイミングアドバンス設計をサポートするワイヤレス通信システムの一例を示す図である。
【図２】本開示の1つまたは複数の態様による、タイミングアドバンス設計をサポートするダウンリンク専用送信バーストについてのタイミング図の一例を示す図である。
【図３】本開示の1つまたは複数の態様による、タイミングアドバンス設計をサポートするアップリンク専用送信バーストについてのタイミング図の一例を示す図である。
【図４】本開示の1つまたは複数の態様による、タイミングアドバンス設計をサポートするアップリンク送信バーストに続くダウンリンク送信バーストについてのタイミング図の一例を示す図である。
【図５】本開示の1つまたは複数の態様による、タイミングアドバンス設計をサポートするワイヤレスデバイスのブロック図である。
【図６】本開示の1つまたは複数の態様による、タイミングアドバンス設計をサポートするワイヤレスデバイスのブロック図である。
【図７】本開示の1つまたは複数の態様による、タイミングアドバンス設計をサポートするワイヤレスデバイスのブロック図である。
【図８】本開示の1つまたは複数の態様による、タイミングアドバンス設計をサポートするユーザ機器(UE)を含むシステムのブロック図である。
【図９】本開示の1つまたは複数の態様による、タイミングアドバンス設計をサポートするワイヤレスデバイスのブロック図である。
【図１０】本開示の1つまたは複数の態様による、タイミングアドバンス設計をサポートするワイヤレスデバイスのブロック図である。
【図１１】本開示の1つまたは複数の態様による、タイミングアドバンス設計をサポートするワイヤレスデバイスのブロック図である。
【図１２】本開示の1つまたは複数の態様による、タイミングアドバンス設計をサポートする基地局を含むシステムのブロック図である。
【図１３】本開示の1つまたは複数の態様による、タイミングアドバンス設計のための方法を示す図である。
【図１４】本開示の1つまたは複数の態様による、タイミングアドバンス設計のための方法を示す図である。
【図１５】本開示の1つまたは複数の態様による、タイミングアドバンス設計のための方法を示す図である。
【図１６】本開示の1つまたは複数の態様による、タイミングアドバンス設計のための方法を示す図である。
【図１７】本開示の1つまたは複数の態様による、タイミングアドバンス設計のための方法を示す図である。
【発明を実施するための形態】
【００２９】
例示的な実施形態では、無認可共有無線周波数スペクトル帯域における基地局と1つまたは複数のユーザ機器(UE)との間の通信のタイミングについて説明する。たとえば、拡張コンポーネントキャリア(eCC)では、送信バーストは、ダウンリンク(DL)専用、アップリンク(UL)専用、またはDL+ULの形態をとる場合がある。基地局およびUEの送信は、時分割複信(TDD)であってもよく、所定のタイムスロットにおいて送られてもよい。基地局は、DLタイムスロットにおいてUEに通信してもよく、ULタイムスロットにおいてUEからULバーストを受信してもよい。いくつかの例では、1つのみのUEが一度に特定のULタイムスロットにおいて通信してもよい。他の例では、複数のUEが、たとえば、異なる周波数またはコードを使用して、同じULタイムスロットにおいて通信してもよい。
【００３０】
基地局および1つまたは複数のUEが同期していないとき、タイミング問題が生じる場合がある。たとえば、基地局は、予想とは異なるタイムスロットにおいて1つまたは複数のUEからアップリンクバーストを受信する場合がある。予想とは異なる時間にULバーストを受信することは、他のDLバーストまたはULバーストに干渉する場合があり、データ受信エラーを引き起こす場合がある。タイミング問題を克服するために、基地局は、DL送信の終わりとUL送信の始まりとの間の送信ギャップを提供し得る。送信ギャップの間に、UEは、送信ギャップの満了の後に1つまたは複数のULバーストを送るためのULタイムスロットを確保し得る。送信ギャップの持続時間は、基地局によって構成されたフィラー信号の最大許容長さの関数であり得る。基地局は、フィラー信号の最大許容長さをUEにシグナリングするかまたは他の方法で通知し得る。
【００３１】
送信媒体を確保したいと望むとき、UEは、1つまたは複数のアップリンクタイムスロットを確保するために、送信ギャップの間にフィラー信号を通信し得る。UEがフィラー信号を通信する時間の長さは、タイミングアドバンス値によって縮小されたフィラー信号の最大許容長さに少なくとも部分的に基づき得る。フィラー信号の長さは、基地局に対してUEが存在する地理的距離と逆関係にあり得る。その結果、より近いUEによって送られるフィラー信号の長さは、より遠いUE(たとえば、より近いUEと比較して、基地局から遠く離れたUE)によって送られるフィラー信号の長さよりも長くてもよい。UEがどのくらい長いフィラー信号を送るべきかを計算してもよく、または基地局がこの計算を実行し、そのフィラー信号長さをUEに通知してもよい。
【００３２】
本開示の態様について、最初にワイヤレス通信システムの文脈で説明する。例は、本開示の態様による、eCC、LAACC、ニューラジオ(NR)システム(たとえば、5G)、MuLTEFireネットワークなどの様々な実装形態のためのタイミングアドバンス設計をサポートするダウンリンク専用送信バースト、アップリンク専用送信バースト、およびダウンリンク送信バーストに続くアップリンク専用送信バーストのタイミングを図示するためのタイミング図を提供する。本開示の態様について、そのような実装形態のためのタイミングアドバンス設計に関する装置の図、システムの図、およびフローチャートによってさらに図示し、それらを参照しながら説明する。
【００３３】
図1は、本開示の様々な態様による、ワイヤレス通信システム100の一例を示す。ワイヤレス通信システム100は、基地局105と、UE115と、コアネットワーク130とを含む。いくつかの例では、ワイヤレス通信システム100は、ロングタームエボリューション(LTE)/LTEアドバンスト(LTE-A)ネットワーク、またはNRネットワークであり得る。たとえば、ワイヤレス通信システム100は、重複するカバレージエリアとともに動作する、LTE/LTE-Aネットワーク、MuLTEFireネットワーク、ニュートラルホストスモールセルネットワークなどを含み得る。MuLTEFireネットワークは、たとえば、認可周波数アンカーキャリアなしで、無認可無線周波数スペクトル帯域において通信するアクセスポイント(AP)および/または基地局105を含み得る。たとえば、MuLTEFireネットワークは、認可スペクトルにおいてアンカーキャリアなしで動作し得る。場合によっては、ワイヤレス通信システム100は、拡張ブロードバンド通信、超高信頼(すなわち、ミッションクリティカル)通信、低レイテンシ通信、および低コストで低複雑度のデバイスを伴う通信をサポートし得る。いくつかの例では、MuLTEfire通信システムは、カバレージ拡張モードを有するUEをサポートし得る。加えて、MuLTEfire通信システムは、異なるUEタイプを含み、サポートし得る。あるUEタイプは、カバレージ拡張モードに関する能力が欠けている場合があるレガシーUEであり得る。追加または代替として、別のUEタイプは、カバレージ拡張モードに関する能力を持つ場合があるMuLTEfire UEであり得る。いくつかの例では、ワイヤレス通信システム100は、別個のOFDMヌメロロジーおよび他の特徴を有する無認可のワイドバンドキャリアネットワークの一例であり得る、eCCベースのネットワークであり得る。例示的なワイヤレス通信システム100は、基地局105のカバレージエリア内のUE115が無線周波数スペクトル帯域へのアクセスを共有することを可能にするための送信ギャップを実装し得る。送信ギャップの長さは、共有スペクトル帯域を確保するために使用されるフィラー信号の最大許容長さに少なくとも部分的に基づいてもよく、ワイヤレス通信システム100がUE115と基地局105との間の異なる地理的距離を考慮して同期を維持することを可能にし得る。
【００３４】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100中に示されている通信リンク125は、UE115から基地局105へのUL送信、または基地局105からUE115へのDL送信を含み得る。UE115は、ワイヤレス通信システム100全体にわたって分散されてもよく、各UE115は固定またはモバイルであり得る。UE115は、移動局、加入者局、リモートユニット、ワイヤレスデバイス、アクセス端末(AT)、ハンドセット、ユーザエージェント、クライアント、または同様の用語で呼ばれることもある。UE115はまた、セルラーフォン、ワイヤレスモデム、ハンドヘルドデバイス、パーソナルコンピュータ、タブレット、パーソナル電子デバイス、マシンタイプ通信(MTC)デバイスなどであり得る。
【００３５】
基地局105は、コアネットワーク130および互いと通信し得る。たとえば、基地局105は、バックホールリンク132(たとえば、S1など)を通してコアネットワーク130とインターフェースし得る。基地局105は、バックホールリンク134(たとえば、X2など)を介して直接または間接的に(たとえば、コアネットワーク130を通して)のいずれかで互いと通信し得る。基地局105は、UE115との通信のための無線構成およびスケジューリングを実行してもよく、または基地局コントローラ(図示せず)の制御下で動作してもよい。いくつかの例では、基地局105は、マクロセル、スモールセル、ホットスポットなどであり得る。基地局105は、eノードB(eNB)105と呼ばれることもある。
【００３６】
キャリアは、周波数分割複信(FDD)動作(たとえば、対スペクトルリソースを使用する)またはTDD動作(たとえば、不対スペクトルリソースを使用する)を使用して、双方向通信を送信し得る。TDDフレーム構造では、各サブフレームはULトラフィックまたはDLトラフィックを搬送し得る。TDDを使用すると、対UL-DLスペクトルリソースを必要とすることなしに、柔軟な展開が可能になる。いくつかのTDDネットワーク展開では、UL通信とDL通信の間に干渉(たとえば、異なる基地局からのUL通信とDL通信との間の干渉、基地局およびUEからのUL通信とDL通信との間の干渉など)が引き起こされ得る。たとえば、異なる基地局105が異なるTDD UL-DL構成に従って重複するカバレージエリア内の異なるUE115にサービスを提供する場合、サービング基地局105からDL送信を受信し、復号しようと試みるUE115は、近接して位置する他のUE115からのUL送信からの干渉を受ける可能性がある。
【００３７】
場合によっては、ワイヤレス通信システム100は、1つまたは複数のeCCを利用し得る。eCCは、フレキシブル帯域幅、異なる送信時間間隔(TTI)、および修正された制御チャネル構成を含む、1つまたは複数の特徴によって特徴づけられ得る。場合によっては、eCCは、キャリアアグリゲーション(CA)構成またはデュアル接続性構成(たとえば、複数のサービングセルが準最適なバックホールリンクを有するとき)に関連付けられ得る。eCCはまた、(たとえば、2つ以上の事業者がスペクトルを使用することを認可された場合)無認可スペクトルまたは共有スペクトルにおいて使用するために構成され得る。
【００３８】
ワイヤレス通信システム100は、700MHzから2600MHz(2.6GHz)の周波数帯域を使用する超高周波(UHF)周波数領域で動作し得るが、場合によっては、WLANネットワークは、4GHzもの高い周波数を使用し得る。この領域は、デシメートル帯域として知られることもあり、その理由は、波長が約1デシメートルから1メートルの長さに及ぶからである。UHF波は、主に見通し線によって伝搬することができ、ビルおよび環境的な特徴によってブロックされ得る。しかしながら、波は、屋内に位置するUE115にサービスを提供するために十分に壁を貫通することができる。UHF波の送信は、スペクトルの高周波(HF)または超高周波(VHF)部分のより小さい周波数(および、より長い波)を使用する送信と比較して、より小型のアンテナおよびより短距離(たとえば、100km未満)によって特徴づけられる。場合によっては、ワイヤレス通信システム100は、スペクトルの極高周波(EHF)部分(たとえば、30GHzから300GHz)を利用することもできる。この領域は、ミリメートル帯域として知られることもあり、その理由は、波長が約1ミリメートルから1センチメートルの長さに及ぶからである。したがって、EHFアンテナは、UHFアンテナよりもさらに小型であり、より間隔が密であり得る。場合によっては、これは、UE115内の(たとえば、指向性ビームフォーミングのための)アンテナアレイの使用を容易にし得る。しかしながら、EHF送信は、UHF送信よりもさらに大きい大気減衰およびより短距離を受けることがある。
【００３９】
したがって、ワイヤレス通信システム100は、UE115と基地局105との間のミリ波(mmW)通信をサポートし得る。mmWまたはEHF帯域で動作するデバイスは、ビームフォーミングを可能にするために複数のアンテナを有し得る。すなわち、基地局105は、UE115との指向性通信のためのビームフォーミング動作を実施するために複数のアンテナまたはアンテナアレイを使用し得る。ビームフォーミング(空間フィルタリングまたは指向性送信と呼ばれることもある)は、アンテナビーム全体をシェーピングするおよび/またはターゲット受信機(たとえば、UE115)の方向にステアリングするために送信機(たとえば、基地局105)において使用され得る信号処理技法である。これは、特定の角度における送信信号が強め合う干渉を受ける一方で、他の角度における送信信号が弱め合う干渉を受けるように、アンテナアレイ内の要素を組み合わせることによって達成され得る。
【００４０】
多入力多出力(MIMO)ワイヤレスシステムは、送信機(たとえば、基地局)と受信機(たとえば、UE)との間の送信方式を使用し、送信機と受信機の両方は、複数のアンテナを備える。ワイヤレス通信システム100のいくつかの部分は、ビームフォーミングを使用し得る。たとえば、基地局105は、基地局105がUE115との通信におけるビームフォーミングのために使用し得るアンテナポートのいくつかの行および列を有するアンテナアレイを有し得る。信号は、異なる方向において複数回送信され得る(たとえば、各送信は、異なるようにビームフォーミングされ得る)。mmW受信機(たとえば、UE115)は、同期信号を受信しながら、複数のビーム(たとえば、アンテナサブアレイ)を試みることができる。
【００４１】
場合によっては、基地局105またはUE115のアンテナは、ビームフォーミングまたはMIMO動作をサポートし得る1つまたは複数のアンテナアレイ内に位置し得る。1つまたは複数の基地局アンテナまたはアンテナアレイは、アンテナタワーなどのアンテナアセンブリにおいてコロケートされ得る。場合によっては、基地局105に関連付けられたアンテナまたはアンテナアレイは、多様な地理的ロケーションに位置し得る。基地局105は、UE115との指向性通信のためのビームフォーミング動作を実施するために複数のアンテナまたはアンテナアレイを使用し得る。
【００４２】
場合によっては、ワイヤレス通信システム100は、階層化プロトコルスタックに従って動作するパケットベースネットワークであり得る。ユーザプレーンでは、ベアラまたはパケットデータコンバージェンスプロトコル(PDCP)レイヤにおける通信は、IPベースであってもよい。無線リンク制御(RLC)レイヤは、場合によっては、論理チャネルを介して通信するために、パケットのセグメンテーションおよびリアセンブリを実行し得る。媒体アクセス制御(MAC)レイヤは、優先度処理、およびトランスポートチャネルへの論理チャネルの多重化を実行し得る。MACレイヤはまた、MACレイヤにおいて再送信を行ってリンク効率を改善するために、HARQを使用し得る。制御プレーンでは、無線リソース制御(RRC)プロトコルレイヤは、ユーザプレーンデータのための無線ベアラをサポートする、UE115とネットワークデバイス105-c、ネットワークデバイス105-b、またはコアネットワーク130との間のRRC接続の確立、構成、および保守を行い得る。物理(PHY)レイヤにおいて、トランスポートチャネルは物理チャネルにマッピングされ得る。
【００４３】
LTEまたはNRにおける時間間隔は、(Ts=1/30,720,000秒のサンプリング周期であり得る)基本時間単位の倍数で表され得る。時間リソースは、0から1023にわたるシステムフレーム番号(SFN)によって識別され得る、10ms(Tf=307200Ts)の長さの無線フレームに従って編成され得る。各フレームは、0から9の番号を付けられた10個の1msサブフレームを含み得る。サブフレームは、2つの.5msスロットにさらに分割され得、スロットの各々は、(各シンボルにプリペンドされたサイクリックプレフィックスの長さに応じて)6つまたは7つの変調シンボル期間を含む。サイクリックプレフィックスを除いて、各シンボルは2048個のサンプル期間を含む。場合によっては、サブフレームは、TTIとしても知られる最小のスケジューリング単位であり得る。他の場合には、TTIはサブフレームよりも短くてもよく、または(たとえば、短いTTIバーストにおいて、または短いTTIを使用する選択されたコンポーネントキャリアにおいて)動的に選択されてもよい。
【００４４】
リソース要素は、1つのシンボル期間および1つのサブキャリア(たとえば、15KHz周波数範囲)で構成され得る。リソースブロックは、周波数領域において12個の連続するサブキャリアを含み、各OFDMシンボル内のノーマルサイクリックプレフィックスについて、時間領域(1スロット)において7つの連続するOFDMシンボル、または84個のリソース要素を含むことがある。各リソース要素によって搬送されるビット数は、変調方式(各シンボル期間中に選択され得るシンボルの構成)に依存し得る。したがって、UEが受信するリソースブロックが多いほど、また変調方式が高いほど、データレートは高くなり得る。
【００４５】
ワイヤレス通信システム100は、複数のセルまたはキャリア上での動作、すなわち、キャリアアグリゲーション(CA)またはマルチキャリア動作と呼ばれることがある特徴をサポートし得る。キャリアは、CC、レイヤ、チャネルなどと呼ばれることもある。「キャリア」、「コンポーネントキャリア」、「セル」、および「チャネル」という用語は、本明細書で互換的に使用され得る。UE115は、キャリアアグリゲーションのために、複数のダウンリンクCCおよび1つまたは複数のアップリンクCCを用いて構成され得る。キャリアアグリゲーションは、周波数分割複信(FDD)コンポーネントキャリアと時分割複信(TDD)コンポーネントキャリアの両方とともに使用され得る。
【００４６】
場合によっては、ワイヤレス通信システム100(たとえば、LTEシステム、またはNRシステム(たとえば、5G))は、たとえば、ワイヤレス通信のスループット、レイテンシ、または信頼性を改善するために、eCCを利用し得る。eCCは、広いトーン間隔、短いサブフレーム持続時間、競合ベースの無線周波数スペクトル帯域における(または競合のない無線周波数スペクトル帯域における)動作、より短いシンボル持続時間、より短いTTI(たとえば、スロット)、修正された制御チャネル構成、およびより広い帯域幅を含む、1つまたは複数の特徴によって特徴づけられ得る。eCCは、比較的小さい帯域幅(たとえば、20MHz)を有し得る非eCC(たとえば、競合ベースの無線周波数スペクトル帯域におけるLTE/LTE-A CC、LAA CC、またはスタンドアロンCC)と比較して、比較的広い帯域幅(たとえば、80MHzまたは100MHz)を有し得る。eCCは、1つまたは複数のチャネル(たとえば、帯域幅の4つの20MHzセグメントなどの帯域幅のセグメント)を含み得る。広い帯域幅によって特徴づけられるeCCは、全帯域幅を監視することが可能ではないか、または(たとえば、電力を節約するために)限られた帯域幅を使用することを好むUE115によって利用され得る1つまたは複数のセグメントを含み得る。場合によっては、eCCは、キャリアアグリゲーション構成またはデュアル接続性構成(たとえば、複数のサービングセルが準最適なまたは理想的でないバックホールリンクを有するとき)に関連付けられ得る。eCCはまた、(たとえば、2つ以上の事業者がスペクトルを使用することを許可された場合)無認可スペクトルまたは共有スペクトルにおいて使用するために構成され得る。広い帯域幅によって特徴づけられるeCCは、全帯域幅を監視することが可能ではないか、または(たとえば、電力を節約するために)限られた帯域幅を使用することを好むUE115によって利用され得る1つまたは複数のセグメントを含み得る。
【００４７】
場合によっては、eCCは、他のコンポーネントキャリア(CC)のシンボル持続時間と比較して縮小されたシンボル持続時間の使用を含み得る、他のCCとは異なるシンボル持続時間を利用し得る。より短いシンボル持続時間は、増加したサブキャリア間隔に関連付けられる。eCCを利用するUE115または基地局105などのデバイスは、縮小されたシンボル持続時間(たとえば、16.67μs)において広帯域信号(たとえば、20、40、60、80MHzなど)を送信し得る。eCC内のTTIは、1つまたは複数のシンボルで構成され得る。場合によっては、TTI持続時間(すなわち、TTI内のシンボルの数)は可変であってもよい。場合によっては、eCCは、他のCCのシンボル持続時間と比較して縮小されたシンボル持続時間の使用を含み得る、他のCCとは異なるシンボル持続時間を利用し得る。より短いシンボル持続時間は、増加したサブキャリア間隔に関連付けられる。eCCを利用するUE115または基地局105などのデバイスは、縮小されたシンボル持続時間(たとえば、16.67μs)において広帯域信号(たとえば、20、40、60、80MHzなど)を送信し得る。eCC内のTTIは、1つまたは複数のシンボルで構成され得る。場合によっては、TTI持続時間(すなわち、TTI内のシンボルの数)は可変であってもよい。
【００４８】
eCCでは、送信バーストは、DL専用、UL専用、またはDL+ULの形態をとる場合がある。図2はDL専用送信バーストの例示的なタイムラインを示し、図3はUL専用送信バーストの例示的なタイムラインを示し、図4はUL送信バーストが後に続くDL送信バーストの例示的なタイムラインを示す。
【００４９】
場合によっては、ワイヤレス通信システム100は、認可無線周波数スペクトル帯域と無認可無線周波数スペクトル帯域の両方を利用し得る。たとえば、ワイヤレス通信システム100は、5GHz産業、科学、および医療(ISM)帯域などの無認可帯域においてLTEライセンス補助アクセス(LTE-LAA)もしくはLTE無認可(LTE U:LTE Unlicensed)無線アクセス技術またはNR技術を用いることができる。いくつかの例では、ワイヤレス通信システム100は、共有無線周波数スペクトルを使用してスタンドアロン方式で動作するMuLTEfire通信を用いることができる。無認可無線周波数スペクトル帯域で動作するとき、基地局105およびUE115などのワイヤレスデバイスは、データを送信する前にチャネルがクリアであることを保証するためにリッスンビフォアトーク(LBT)手順を用いることができる。場合によっては、無認可帯域における動作は、認可帯域において動作するCCと連携したCA構成に基づき得る。無認可スペクトルにおける動作は、ダウンリンク送信、アップリンク送信、または両方を含み得る。無認可スペクトルにおける複信は、FDD、またはTDD、または両方の組合せに基づき得る。
【００５０】
図2は、1つまたは複数のUEへのDL専用送信バーストの基地局の観点からのタイムラインを示す。基地局は、図1において説明したように基地局105であってもよく、やはり図1において説明したように1つまたは複数のUE115と通信し得る。基地局105は、すべてのUE115が同期するクロックを提供し得る。図示のように、基地局105は、基地局105またはUE115がその中で通信し得るタイムスロットを確立し得る。タイムスロットは、図2では、タイムライン202に沿った2つのスロット目盛り204の間で生じる持続時間として表され、各タイムスロットは、同じ持続時間を有し得る。図示のように、1つのタイムスロットは、スロット目盛り204-aと204-bとの間で生じる。
【００５１】
送信媒体が共有されるので、基地局105および/またはUE115は、送信バーストを送信する前に送信媒体上で1つまたは複数のタイムスロットを確保するために、フィラー(F)信号206を通信し得る。フィラー信号206の1つの用途は、次のスロット境界の開始まで共有媒体を保持(たとえば、確保)することである。いくつかの例では、フィラー信号206はいかなる情報も伝達しないことがある。いくつかの例では、フィラー信号206は、DL送信バースト用に確保されているタイムスロットの数と、DL送信バーストを受信すべき1つまたは複数のUE115とに関する情報を伝達することがある。図示のように、基地局105は、1つまたは複数のDL送信バーストを送る前に、タイムスロットの一部分のみの間にフィラー信号206を送信し得る。基地局105は、タイムスロットの先行する未使用の残りの部分の間にガード期間を確立し得る。ガード期間は、時間の長さであってもよく、1つまたは複数のDLバーストのDL送信の終わりの後に生じる一定の時間量であってもよい。一例では、ガード期間は、たとえば、16マイクロ秒のショートフレーム間スペース(SIFS:short interframe space)であってもよい。一例では、基地局105は、セル固有の情報(たとえば、システム情報ブロック(SIB)を介した)、UE固有の情報(たとえば、無線リソース制御(RRC))、物理ブロードキャストチャネル(PBCH)、L1信号(たとえば、物理制御フォーマットインジケータチャネル(PCFICH)を介した)、制御(たとえば、物理ダウンリンク制御チャネル(PDCCH)を介した)、およびそれらの任意の組合せを介してガード期間をシグナリングし得る。
【００５２】
フィラー信号206は、基地局105がDL送信バースト用に1つまたは複数のタイムスロットを確保していることを示し得る。送信バーストは、1つまたは複数のタイムスロットにわたって1つまたは複数のサブフレームを送り得る。サブフレームは、タイムスロットと同じ持続時間またはタイムスロットとは異なる持続時間を有し得る。異なる持続時間を有する場合、サブフレームは整数個のタイムスロットにわたって送信され得る。図示された例では、基地局105は、サブフレーム208-aから208-eとして示された5つの200マイクロ秒のサブフレームを送るために、(たとえば、タイムライン202上のスロット目盛り204-aから204-cの間の)10個のタイムスロットを確保する。いくつかの例では、サブフレーム208およびタイムスロットは、図2に示すよりも短いまたは長い持続時間であってもよい。図2の1つの例示的な実装形態は、即時のUL応答が期待されないDLバーストを送信する基地局105である。これは、たとえば、基地局105が発見基準信号(DRS)を1つまたは複数のUE115に送信するときに生じ得る。
【００５３】
図3は、UEの観点からの基地局へのUL専用送信バーストのタイムラインを示す。基地局は、図1〜図2において説明したように基地局105であってもよく、やはり図1〜図2において説明したように1つまたは複数のUE115と通信し得る。上述の例と同様に、基地局105は、すべてのUE115が同期するクロックを提供し得、基地局105またはUE115がその中で通信し得るタイムスロットを確立し得る。タイムスロットは、図3では、タイムライン202-aに沿った2つのスロット目盛り204の間で生じる持続時間として表され、各タイムスロットは、同じ持続時間を有し得る。図示のように、1つのタイムスロットは、スロット目盛り204-dと204-eとの間で生じる。
【００５４】
送信媒体が共有されるので、UE115は、UL送信バーストの開始まで送信媒体を確保するために、フィラー(F)信号206-aを使用し得る。いくつかの例では、フィラー信号206-aはいかなる情報も伝達しないことがある。いくつかの例では、フィラー信号206-aは、UL送信バースト用に確保されているタイムスロットの数に関する情報を伝達することがある。図示のように、UE115は、1つまたは複数のUL送信バーストを送る前に、タイムスロットの一部分のみの間にフィラー信号206-aを送信し得る。
【００５５】
フィラー信号206-aは、UE115がUL送信バースト用に1つまたは複数のタイムスロットを確保していることを示し得る。サブフレームおよびタイムスロットの長さは、基地局105について上記で説明したように、同じであってもよい。図示された例では、UE115は、サブフレーム308-aから308-cとして示された3つの200マイクロ秒のサブフレームを送るために、(たとえば、タイムライン202-a上のスロット目盛り204-dから204-fの間の)6個のタイムスロットを確保する。サブフレーム308およびタイムスロットは、図3に示すよりも短いまたは長い持続時間であってもよい。図3の1つの例示的な実装形態は、基地局105からの即時のDL応答が期待されないULバーストを送るUE115である。これは、たとえば、UE115が物理アップリンク制御チャネル(PUCCH)リソース上でランダムアクセス要求を送信するときに生じ得る。
【００５６】
基地局105との同期を維持するために、UE115は、タイミングアドバンス値310に少なくとも部分的に基づいてフィラー信号206-aを送信し得る。タイミングアドバンス値310は、UE115と基地局105との間の地理的距離による信号伝搬遅延を考慮し得る。基地局105および/またはUE115は、信号を他方に送り、他方が応答するのにどのくらい時間がかかるかを決定することによって、信号伝搬遅延を決定し得る。UE115および基地局105が地理的により近いときは、信号伝搬遅延はより短くなることがあり、地理的に遠くに離れているときは、信号伝搬遅延はより長くなることがある。UE115は、基地局105がタイムライン202-aに沿った正確な時間に信号を受信するように、いつ信号を送るべきかを決定するために、タイミングアドバンス値310を使用し得る。図3では、たとえば、UE115は、基地局105がほぼスロット目盛り204-dにおいてULバースト308-aを受信するように、タイミングアドバンス値310に従ってスロット目盛り204-dの前にULバースト308-aを送信する。
【００５７】
図4は、1つまたは複数のUEからのUL送信が後に続く、基地局からのDL送信のタイムラインを示す。基地局は、図1〜図3において説明したように基地局105であってもよく、やはり図1〜図3において説明したように1つまたは複数のUE115と通信し得る。上述の例と同様に、基地局105は、すべてのUE115が同期するクロックを提供し得、基地局105またはUE115がその中で通信し得る、タイムライン202-bに沿ったタイムスロットを確立し得る。上記で説明したように、基地局105は、基地局105が1つまたは複数のDLバーストを送ることを望むタイムスロットに先行してフィラー信号206-bを通信し得る。図示された例では、基地局105は、スロット目盛り204-fの前にフィラー信号206-bを通信し、その後に、DL送信バーストにおいて5つの200マイクロ秒のサブフレームを送る。
【００５８】
図4では、DL送信とUL送信との間の遷移を例示するために、ブレース402に対応するタイムライン202-bのセクションを拡大してある。例示的なシナリオは、即時応答ULバーストが後に続くDL送信バーストであり得る。たとえば、DLデータバーストの後に(1)1つまたは複数のUL確認応答(ACK)送信バーストおよび/またはULデータ送信バースト、(2)送信要求(RTS:request to send)が続き、その後に送信可(CTS:clear to send)応答が続き、その後にDLデータバーストが続き、その後にUL ACK送信バーストおよび/またはULデータ送信バーストが続く、といったものであり得る。
【００５９】
スロット目盛り204-gの始まりにおいて、基地局105がDL送信バースト208-fを送信してもよく、タイミングギャップ404が生じ、次いで、1つまたは複数のUE115がUL送信バースト308-dを送ってもよい。タイミングギャップ404は、基地局105と1つまたは複数のUE115との間の同期を維持するために使用される。図示された例では、タイミングギャップ404は、ガード期間406および指定された長さのフィラー信号(Fs)408を構成する。ガード期間406は、通信デバイス(たとえば、基地局105またはUE115)による送信バーストの受信の終わりから始まる時間の長さであり、その間、UE115は送信することが許されない。ガード期間406は、固定された時間の長さであってもよく、RxからTxへの切替え時間を提供してもよい。いくつかの例では、ガード期間は、異なるタイプの送信の間で共有媒体を使用するための優先度を制御するために使用され得る。タイムライン202-b上のガード期間406の後に続くのは、UE115がその間にフィラー信号408を送ってもよい時間の長さである。たとえば、UE115は、ガード期間406の満了後にフィラー信号408を送ってもよい。フィラー信号408の指定された長さは、基地局105によって構成されたフィラー信号の最大許容長さに依存し得る。
【００６０】
一例では、基地局105は、(1)基地局105と基地局105のカバレージエリアのエッジとの間の最大往復信号伝搬遅延(RTDmax)および(2)フィラー信号206の最小の指定された長さWの関数として最大許容長さを決定し得る。いくつかの例では、通信プロトコルまたは規格は、特定の情報伝達波形の送信をフィラー信号送信の一部として指定してもよく、フィラー波形の情報伝達部分の長さは、指定された値、たとえば、Wであってもよい。そのような場合、フィラー信号の最小の指定された長さは、フィラー波形の情報伝達部分の長さWである。たとえば、フィラー信号206の情報伝達部分は、Wi-Fiとの共存のためにWi-Fi RTS、CTS、またはCTS-to-selfを送信するために使用され得る。そのようなシナリオでは、フィラー信号の最大許容長さは、最大往復信号伝搬遅延と情報伝達部分の長さとの合計であり得る。RTDmaxを決定するために、ネットワークプロバイダは、基地局105が(たとえば、マイルまたはキロメートル単位での)所定の距離のカバレージエリアを有すると指定し、指定されたカバレージエリアに少なくとも部分的に基づいて最大往復信号伝搬遅延を計算してもよい。
【００６１】
別の例では、基地局105は、(1)基地局105とUE115との間の最大往復信号伝搬遅延(RTDmax)および(2)フィラー信号206の最小の指定された長さWの関数として最大許容長さを決定し得る。この例では、フィラー信号408の長さを決定するために、基地局105は、信号を各UE115に送ってもよく、応答を受信するのにどのくらい時間がかかるかを測定してもよい。いくつかの事例では、基地局105から地理的に最も離れて位置するUE115は、最も長い往復信号伝搬遅延を有し得る。基地局105は、最も長い往復信号伝搬遅延をRTDmaxとして選択し得る。
【００６２】
一例では、基地局105は、ガード期間の長さ、フィラー信号の最大許容長さ、およびフィラー信号の最小の指定された長さをセル固有のパラメータとしてシグナリングし得る。これらのパラメータは、半静的(たとえば、一定、または、たまにしか変化しない)であり得る。基地局105は、UE115のタイミングアドバンス値を調整するために、タイミングアドバンス/リタードコマンドを各UE115に発行し得る。
【００６３】
より一般的には、基地局105は、たとえば、制御、ブロードキャスト、もしくは上位レイヤシグナリング、またはそれらの組合せを使用して、(たとえば、特定のサブフレームまたはDLバーストにおける)DL送信の間にまたはDL送信の前に様々なパラメータをUE115にシグナリングし得る。パラメータは、送信ギャップ404、ガード期間406の長さ、フィラー信号408の指定された長さ(たとえば、フィラー信号の最大許容長さ)、1つまたは複数のUE115に対するタイミングアドバンス値310、フィラー信号の最小の指定された長さWなどのうちの1つまたは複数を含み得る。シグナリングはまた、1つまたは複数のUE115が、その対応する識別された長さのフィラー信号206を送信することによって共有無線周波数スペクトル帯域を確保しようと試みることを許可し得る。フィラー信号206をいつ送るべきかを決定するために、UE115は、DL送信の終わりおよびガード期間406の終わりを識別し得る。
【００６４】
基地局105は、セル固有の情報(たとえば、SIBを介した)、UE固有の情報(たとえば、RRC)、PBCH、L1信号(たとえば、物理制御フォーマットインジケータチャネル(PCFICH)を介した)、制御(たとえば、PDCCHを介した)、およびそれらの任意の組合せを介して様々なパラメータ(たとえば、フィラー信号の最大許容長さ)をシグナリングし得る。UE115は、フィラー信号206および1つまたは複数のULバーストを送ることがいつ許可されるかを決定するために、様々なパラメータを処理し得る。他の例では、UE115は、基地局105から明示的なシグナリングを受信することなしに、いくつかまたはすべてのパラメータを他のシグナリングされたパラメータによって暗黙的に決定し得る。たとえば、フィラー信号の最大許容長さは、CP長さの関数として暗黙的に決定され得る。
【００６５】
図示された例では、ブレース402に対応するタイムライン202-bの拡大されたセクションは、DL送信バーストとUL送信バーストとの間の遷移中の、基地局105のカバレージエリア内の2つの異なるUE115におけるアクティビティを示す。サブタイムライン408-aは、基地局105によるUE115-aへのDLバースト208-fの送信に対応し、サブタイムライン408-bは、基地局105によるUE115-bへのDLバースト208-fの送信に対応する。サブタイムライン410-aは、ゼロ伝搬遅延を伴う、UE115-aによるバーストの送信および受信に対応し、サブタイムライン410-bは、非ゼロ伝搬遅延を伴う、UE115-bによるバーストの送信および受信に対応する。
【００６６】
サブタイムライン408-aおよび408-bを参照すると、基地局105は、タイムライン202-b上のスロット目盛り204-gに対応するスロット目盛り204-g-1の開始時にDLバースト208-fを送信し得る。わかるように、基地局105は、バースト208-fをUE115-aおよび115-bの各々に同時に送信する。伝搬遅延により、UE115-aおよび115-bは、サブタイムライン410-aおよび410-bに示すように、DLバースト208-fを同時に受信せず、代わりに、UE115-aは、UE115-bの前にバースト208-fを受信する。図示された例では、伝搬遅延は、2で割った往復遅延(たとえば、RTD/2)である。伝搬遅延があるかどうかにかかわらず、同じ長さのガード期間406が、DLバースト208-fの終わりにサブタイムライン410-aおよび410-bの各々において生じる。
【００６７】
同期を維持するために、UE115-aおよび115-bは、フィラー信号206を生成するときに信号伝搬遅延を考慮する。フィラー信号206の時間的な長さは、以下の式によって支配され得る。
長さ=(ALmax-TA)+W
【００６８】
式中、ALmaxは、基地局105によって構成されるフィラー信号の最大許容長さであり、TAは、タイミングアドバンス値であり、Wは、フィラー信号206の最小の指定された長さである。ALmaxおよびWは、変化しないか、または、TAの変化と比較して比較的まれに変化し得る、定数であり得る。基地局105は、そのようないかなる変化もシグナリングし得る。一例では、TAは、UE115と基地局105との間の地理的な距離が変化すると、経時的に変化し得る。ALmaxおよびWはセル固有のパラメータであり得るが、TAは各UEに固有であり得る。基地局105は、カバレージエリアの最大往復遅延時間であるRTDmaxを考慮することに少なくとも部分的に基づいて、ALmaxの値を決定し得る。一例では、ALmaxはRTDmaxに等しくてもよい。
【００６９】
基地局105とUE115との間の距離とフィラー信号206の長さとの間に反比例関係があり得る。UE115が基地局105に近いほど、フィラー信号206の長さが大きくなる。逆に、UE115が基地局105から遠く離れているほど、フィラー信号206の長さが短くなる。ゼロ伝搬遅延がある場合、タイミングアドバンス値TAはゼロであり、フィラー信号の長さは、サブタイムライン410-aにおけるフィラー信号206-cによって表されるように、RTDmax+Wであり得る。フィラー信号の識別された長さは、UE115がカバレージエリアのエッジにある(たとえば、可能な最も長い伝搬遅延を有する)場合、最小の長さWであり得、その場合、RTDmax=TAである。いくつかの例では、UE115は、1つまたは複数の信号を基地局105に送信し、基地局105から1つまたは複数の応答を受信することに少なくとも部分的に基づいて、そのタイミングアドバンス値310を計算し得る。他の例では、基地局105は、UEから受信されたアップリンク送信のタイミングが早すぎるか遅すぎるかに少なくとも部分的に基づいて、タイミングアドバンス/リタードコマンドをUEに送ることによって各UE115のタイミングアドバンス値310を調整し得る。別の例では、TAをUEに送る代わりに、基地局105は、各UE115に対するフィラー信号206の長さを直接計算し、計算されたフィラー信号長さを、制御、ブロードキャスト、または上位レイヤシグナリングを介してDL送信の間にシグナリングし得る。さらに他の例では、基地局105とUE115のうちの1つまたは複数の両方は、タイミングアドバンス値310を計算し得、その計算値を互いにシグナリングし得る。
【００７０】
フィラー信号の長さが識別されると、UE115は、共有無線周波数スペクトル帯域を確保しようと試みるために、識別された長さのフィラー信号を送信し得る。サブタイムライン410-aと410-bを比較するとわかるように、UE115-aがゼロ伝搬遅延を有し、UE115-bが非ゼロ伝搬遅延を有することにより、フィラー信号206-cの長さはフィラー信号206-dの長さよりも長い。識別された長さのフィラー信号を送信した後、UE115はUL送信バーストを基地局105に送信し得る。サブタイムライン410-aと410-bを比較するとわかるように、UE115-aは、そのULバースト308-dを、UE115-bが送信するときと比較して時間的に後に送信する。この送信時間の差は信号伝搬遅延を考慮するためのものであるので、サブタイムライン412-aおよび412-bにおけるULバースト308-dを比較するとわかるように、基地局105はULバースト308-dを同時に受信する。破線412-1は、タイムライン202-bの拡大されたセクションの終わりを表す。
【００７１】
図示された例では、送信ギャップ404の長さは、タイムライン202-b上の1つのタイムスロットよりも大きく、したがって、UL送信バースト308-dの終わり、ならびに後続のUL送信バースト308-eおよび308-fが、スロット目盛りからオフセットされることになる。他の例では、送信ギャップ404の長さは、タイムスロットの長さと同じ長さであってもよく、タイムスロットの長さよりも短くてもよい。
【００７２】
基地局の観点から見ると、ダウンリンク送信の終わりの後に(たとえば、DLバースト208-fを送った後に)、基地局105は、ガード期間406の長さとフィラー信号の最大許容長さによって指定された長さとの合計(たとえば、ALmax+W)に対応する時間の長さの後のUE115のうちの少なくとも1つからのアップリンク送信のための共有無線周波数スペクトル探索の処理を開始し得る。
【００７３】
経時的に、タイミングアドバンス値310の変化により、UE115のフィラー信号206の識別された長さが変化し得る。たとえば、フィラー信号206は、固定長部分および可変長部分から構成され得る。固定長部分の長さは、フィラー信号の最小の指定された長さWであり得る。UE115と基地局105との間の距離が変化すると、可変長部分の長さが変化し得る。UE115(または基地局105)は、更新されたタイミングアドバンス値を(たとえば、周期的にまたは非周期的に)決定してもよく、更新されたタイミングアドバンス値は、UE115に対するフィラー信号の長さを決定するために使用されてもよい。
【００７４】
上記で与えた説明と同様に、タイミングアドバンス値310が更新された後、UE115は、更新されたタイミングアドバンス値310を識別してもよく、フィラー信号の最大許容長さおよび更新されたタイミングアドバンス値に少なくとも部分的に基づいて、フィラー信号206の更新された長さを識別してもよい。次いで、UE115は、後続のダウンリンク送信と後続のアップリンク送信との間で生じる後続の送信ギャップ404の間に、更新された長さの後続のフィラー信号206を送信し、後続のフィラー信号206の送信の後に、後続のアップリンク送信を送信してもよい。
【００７５】
図5は、本開示の様々な態様による、eCCのためのタイミングアドバンス設計をサポートするワイヤレスデバイス500のブロック図を示す。ワイヤレスデバイス500は、図1および図2を参照しながら説明したUE115の態様の一例であり得る。ワイヤレスデバイス500は、受信機505と、UEタイミングアドバンスマネージャ510と、送信機515とを含み得る。ワイヤレスデバイス500はまた、プロセッサを含み得る。これらの構成要素の各々は、互いと通信していることがある。
【００７６】
受信機505は、パケット、ユーザデータ、または様々な情報チャネル(たとえば、制御チャネル、データチャネルなど)に関連付けられた制御情報などの情報、およびeCCのためのタイミングアドバンス設計に関する情報を受信し得る。情報は、デバイスの他の構成要素に渡され得る。受信機505は、図8を参照しながら説明するトランシーバ825の態様の一例であり得る。
【００７７】
UEタイミングアドバンスマネージャ510は、基地局によって構成されたフィラー信号の最大許容長さに少なくとも部分的に基づいて、フィラー信号の長さを識別することと、共有無線周波数(RF)スペクトル帯域へのアクセスを確保するために、識別された長さのフィラー信号を送信することであって、フィラー信号が、TDDにおけるDL送信とUL送信との間で生じる送信ギャップの間に送信される、送信することと、フィラー信号の送信の後に、確保された共有RFスペクトル帯域上でUL送信を送信することとを行うことができる。UEタイミングアドバンスマネージャ510はまた、図8を参照しながら説明するUEタイミングアドバンスマネージャ805の態様の一例であり得る。
【００７８】
送信機515は、ワイヤレスデバイス500の他の構成要素から受信された信号を送信し得る。いくつかの例では、送信機515は、トランシーバモジュール内で受信機とコロケートされ得る。たとえば、送信機515は、図8を参照しながら説明するトランシーバ825の態様の一例であり得る。送信機515は、単一のアンテナを含み得るか、または複数のアンテナを含み得る。
【００７９】
図6は、本開示の様々な態様による、eCCのためのタイミングアドバンス設計をサポートするワイヤレスデバイス600のブロック図を示す。ワイヤレスデバイス600は、図1、図2および図5を参照しながら説明したワイヤレスデバイス500またはUE115の態様の一例であり得る。ワイヤレスデバイス600は、受信機605と、UEタイミングアドバンスマネージャ610と、送信機630とを含み得る。ワイヤレスデバイス600はまた、プロセッサを含み得る。これらの構成要素の各々は、互いと通信していることがある。
【００８０】
受信機605は、デバイスの他の構成要素に渡され得る情報を受信し得る。受信機605はまた、図5の受信機505を参照しながら説明した機能を実行し得る。受信機605は、図8を参照しながら説明するトランシーバ825の態様の一例であり得る。
【００８１】
UEタイミングアドバンスマネージャ610は、図5を参照しながら説明したUEタイミングアドバンスマネージャ510の態様の一例であり得る。UEタイミングアドバンスマネージャ610は、フィラー長さ構成要素615と、フィラー信号構成要素620と、アップリンク送信構成要素625とを含み得る。UEタイミングアドバンスマネージャ610は、図8を参照しながら説明するUEタイミングアドバンスマネージャ805の態様の一例であり得る。
【００８２】
フィラー長さ構成要素615は、基地局によって構成されたパラメータからフィラー信号の最大許容長さを導出し、フィラー信号の最大許容長さおよび更新されたタイミングアドバンス値に少なくとも部分的に基づいて、フィラー信号の更新された長さを識別し、基地局によって構成されたフィラー信号の最大許容長さに少なくとも部分的に基づいて、フィラー信号の長さを識別し得る。
【００８３】
場合によっては、フィラー信号の識別された長さは、タイミングアドバンス値に少なくとも部分的に基づき、タイミングアドバンス値は、UEと基地局との間の伝搬遅延に少なくとも部分的に基づく。場合によっては、フィラー信号の識別された長さは、フィラー信号の最大許容長さとタイミングアドバンス値との間の差に少なくとも部分的に基づく。場合によっては、フィラー信号は、固定長部分および可変長部分から構成される。
【００８４】
場合によっては、固定長部分は、フィラー信号に対する最小の指定された長さを有し、可変長部分は、タイミングアドバンス値の更新に少なくとも部分的に基づいて決定された長さを有する。場合によっては、フィラー信号の最大許容長さおよびガード期間の長さは、定数である。場合によっては、フィラー信号の最大許容長さは、基地局と基地局のカバレージエリアのエッジとの間の最大往復信号遅延の長さに対応する。
【００８５】
フィラー信号構成要素620は、後続のDL送信と後続のUL送信との間で生じる後続の送信ギャップの間に、更新された長さの後続のフィラー信号を送信し、共有RFスペクトル帯域へのアクセスを確保するために、識別された長さのフィラー信号を送信し得る。フィラー信号は、TDDにおけるDL送信とUL送信との間で生じる送信ギャップの間に送信され得る。場合によっては、送信ギャップの長さは、ガード期間の長さ、タイミングアドバンス値、およびフィラー信号の最大許容長さに少なくとも部分的に基づく。場合によっては、送信ギャップの長さは、タイミングアドバンス値の更新に少なくとも部分的に基づくフィラー信号の識別された長さの変更により、経時的に変化する。
【００８６】
アップリンク送信構成要素625は、後続のフィラー信号の送信の後に後続のUL送信を送信し、フィラー信号の送信の後にUL送信を確保された共有RFスペクトル帯域上で送信し得る。
【００８７】
送信機630は、ワイヤレスデバイス600の他の構成要素から受信された信号を送信し得る。いくつかの例では、送信機630は、トランシーバモジュール内で受信機とコロケートされ得る。たとえば、送信機630は、図8を参照しながら説明するトランシーバ825の態様の一例であり得る。送信機630は、単一のアンテナを利用し得るか、または複数のアンテナを利用し得る。
【００８８】
図7は、ワイヤレスデバイス500またはワイヤレスデバイス600の対応する構成要素の一例であり得るUEタイミングアドバンスマネージャ700のブロック図を示す。すなわち、UEタイミングアドバンスマネージャ700は、図5および図6を参照しながら説明したUEタイミングアドバンスマネージャ510またはUEタイミングアドバンスマネージャ610の態様の一例であり得る。UEタイミングアドバンスマネージャ700はまた、図8を参照しながら説明するUEタイミングアドバンスマネージャ805の態様の一例であり得る。
【００８９】
UEタイミングアドバンスマネージャ700は、フィラー長さ構成要素705と、送信端構成要素710と、ガード期間構成要素715と、タイミングアドバンス構成要素720と、フィラー信号構成要素725と、アップリンク送信構成要素730とを含み得る。これらのモジュールの各々は、直接または間接的に(たとえば、1つまたは複数のバスを介して)互いと通信し得る。
【００９０】
フィラー長さ構成要素705は、基地局によって構成されたパラメータからフィラー信号の最大許容長さを導出し、フィラー信号の最大許容長さおよび更新されたタイミングアドバンス値に少なくとも部分的に基づいて、フィラー信号の更新された長さを識別し得る。さらに、フィラー長さ構成要素705は、基地局によって構成されたフィラー信号の最大許容長さに少なくとも部分的に基づいて、フィラー信号の長さを識別し得る。
【００９１】
送信端構成要素710は、DL送信の終わりおよびガード期間の長さの始まりを識別し得る。ガード期間構成要素715は、フィラー信号を送信する前にガード期間の長さが満了したと決定し得る。
【００９２】
タイミングアドバンス構成要素720は、更新されたタイミングアドバンス値を識別し得る。フィラー信号構成要素725は、後続のDL送信と後続のUL送信との間で生じる後続の送信ギャップの間に、更新された長さの後続のフィラー信号を送信し、共有RFスペクトル帯域へのアクセスを確保するために、識別された長さのフィラー信号を送信し得る。フィラー信号は、TDDにおけるDL送信とUL送信との間で生じる送信ギャップの間に送信され得る。
【００９３】
アップリンク送信構成要素730は、後続のフィラー信号の送信の後に後続のUL送信を送信し、フィラー信号の送信の後にUL送信を確保された共有RFスペクトル帯域上で送信し得る。
【００９４】
図8は、本開示の様々な態様による、eCCのためのタイミングアドバンス設計をサポートするデバイスを含むシステム800の図を示す。たとえば、システム800は、図1、図2および図5〜図7を参照しながら説明したようなワイヤレスデバイス500、ワイヤレスデバイス600、またはUE115の一例であり得るUE115-aを含み得る。
【００９５】
UE115-aはまた、UEタイミングアドバンスマネージャ805と、メモリ810と、プロセッサ820と、トランシーバ825と、アンテナ830と、eCCモジュール835とを含み得る。これらのモジュールの各々は、直接または間接的に(たとえば、1つまたは複数のバスを介して)互いと通信し得る。UEタイミングアドバンスマネージャ805は、図5〜図7を参照しながら説明したようなUEタイミングアドバンスマネージャの一例であり得る。
【００９６】
メモリ810は、ランダムアクセスメモリ(RAM)および読取り専用メモリ(ROM)を含み得る。メモリ810は、実行されると、本明細書で説明する様々な機能(たとえば、eCCのためのタイミングアドバンス設計など)をプロセッサに実行させる命令を含む、コンピュータ可読コンピュータ実行可能ソフトウェアを記憶し得る。場合によっては、ソフトウェア815は、プロセッサによって直接実行可能ではない場合があるが、(たとえば、コンパイルされ、実行されると)本明細書で説明する機能をコンピュータに実行させ得る。プロセッサ820は、インテリジェントハードウェアデバイス(たとえば、中央処理装置(CPU)、マイクロコントローラ、特定用途向け集積回路(ASIC)など)を含み得る。
【００９７】
トランシーバ825は、上記で説明したように、1つまたは複数のアンテナ、ワイヤードリンクまたはワイヤレスリンクを介して、1つまたは複数のネットワークと双方向に通信し得る。たとえば、トランシーバ825は、基地局105またはUE115と双方向に通信し得る。トランシーバ825はまた、パケットを変調し、変調されたパケットを送信のためにアンテナに与え、アンテナから受信されたパケットを復調するためのモデムを含み得る。場合によっては、ワイヤレスデバイスは、単一のアンテナ830を含み得る。しかしながら、場合によっては、デバイスは、複数のワイヤレス送信を同時に送信または受信することが可能であり得る2つ以上のアンテナ830を有し得る。
【００９８】
eCCモジュール835は、共有スペクトルもしくは無認可スペクトルを使用する通信、縮小されたTTIもしくはサブフレーム持続時間を使用する通信、または図1を参照しながら上記で説明したような多数のコンポーネントキャリアを使用する通信などの、eCCを使用する動作を可能にし得る。
【００９９】
図9は、本開示の様々な態様による、eCCのためのタイミングアドバンス設計をサポートするワイヤレスデバイス900のブロック図を示す。ワイヤレスデバイス900は、図1および図2を参照しながら説明した基地局105の態様の一例であり得る。ワイヤレスデバイス900は、受信機905と、基地局タイミングアドバンスマネージャ910と、送信機915とを含み得る。ワイヤレスデバイス900はまた、プロセッサを含み得る。これらの構成要素の各々は、互いと通信していることがある。
【０１００】
受信機905は、パケット、ユーザデータ、または様々な情報チャネル(たとえば、制御チャネル、データチャネルなど)に関連付けられた制御情報などの情報、およびeCCのためのタイミングアドバンス設計に関する情報を受信し得る。情報は、デバイスの他の構成要素に渡され得る。受信機905は、図12を参照しながら説明するトランシーバ1225の態様の一例であり得る。
【０１０１】
基地局タイミングアドバンスマネージャ910は、基地局のカバレージエリアに対するフィラー信号の最大許容長さを決定し得る。基地局は、TDDを使用する共有RFスペクトル帯域上でカバレージエリア内のUEのセットと通信し、DL送信の終わりの後の送信ギャップの間にフィラー信号を送信することによって、フィラー信号の最大許容長さおよび共有RFスペクトル帯域を確保しようと試みるための許可をUEのうちの少なくとも1つに送信するように構成され得る。基地局タイミングアドバンスマネージャ910はまた、図12を参照しながら説明する基地局タイミングアドバンスマネージャ1205の態様の一例であり得る。
【０１０２】
送信機915は、ワイヤレスデバイス900の他の構成要素から受信された信号を送信し得る。いくつかの例では、送信機915は、トランシーバモジュール内で受信機とコロケートされ得る。たとえば、送信機915は、図12を参照しながら説明するトランシーバ1225の態様の一例であり得る。送信機915は、単一のアンテナを含み得るか、または複数のアンテナを含み得る。
【０１０３】
図10は、本開示の様々な態様による、eCCのためのタイミングアドバンス設計をサポートするワイヤレスデバイス1000のブロック図を示す。ワイヤレスデバイス1000は、図1、図2および図9を参照しながら説明したワイヤレスデバイス900または基地局105の態様の一例であり得る。ワイヤレスデバイス1000は、受信機1005と、基地局タイミングアドバンスマネージャ1010と、送信機1025とを含み得る。ワイヤレスデバイス1000はまた、プロセッサを含み得る。これらの構成要素の各々は、互いと通信していることがある。
【０１０４】
受信機1005は、デバイスの他の構成要素に渡され得る情報を受信し得る。受信機1005はまた、図9の受信機905を参照しながら説明した機能を実行し得る。受信機1005は、図12を参照しながら説明するトランシーバ1225の態様の一例であり得る。
【０１０５】
基地局タイミングアドバンスマネージャ1010は、図9を参照しながら説明した基地局タイミングアドバンスマネージャ910の態様の一例であり得る。基地局タイミングアドバンスマネージャ1010は、長さ指示構成要素1015と、フィラー長さ構成要素1020とを含み得る。基地局タイミングアドバンスマネージャ1010は、図12を参照しながら説明する基地局タイミングアドバンスマネージャ1205の態様の一例であり得る。
【０１０６】
長さ指示構成要素1015は、DL送信の終わりの後の送信ギャップの間にフィラー信号を送信することによって、フィラー信号の最大許容長さおよび共有RFスペクトル帯域を確保しようと試みるための許可をUEのうちの少なくとも1つに送信し得る。
【０１０７】
場合によっては、フィラー信号の最大許容長さの送信は、ブロードキャストシグナリングまたは上位レイヤシグナリングを介してDL送信の前に行われる。場合によっては、フィラー信号の最大許容長さの送信は、DL送信の一部である。場合によっては、許可は、少なくとも1つのUEが識別された長さのフィラー信号を送信することによって共有RFスペクトル帯域を確保しようと試みることを許可する。場合によっては、許可は、送信ギャップの長さ、フィラー信号の識別された長さ、ガード期間の長さ、またはそれらの組合せのうちの少なくとも1つを識別する。場合によっては、送信ギャップは、ガード期間の長さおよびフィラー信号の最大許容長さに少なくとも部分的に基づく。
【０１０８】
フィラー長さ構成要素1020は、基地局のカバレージエリアに対するフィラー信号の最大許容長さを決定し得る。基地局は、TDDを使用する共有RFスペクトル帯域上でカバレージエリア内のUEのセットと通信するように構成され得る。次いで、フィラー長さ構成要素1020は、フィラー信号の最大許容長さおよびタイミングアドバンス値に少なくとも部分的に基づいて、少なくとも1つのUEに対するフィラー信号の長さを識別し得る。場合によっては、フィラー信号の最大許容長さは、カバレージエリアのエッジと基地局との間の最大往復信号遅延の長さに対応する。
【０１０９】
送信機1025は、ワイヤレスデバイス1000の他の構成要素から受信された信号を送信し得る。いくつかの例では、送信機1025は、トランシーバモジュール内で受信機とコロケートされ得る。たとえば、送信機1025は、図12を参照しながら説明するトランシーバ1225の態様の一例であり得る。送信機1025は、単一のアンテナを利用し得るか、または複数のアンテナを利用し得る。
【０１１０】
図11は、ワイヤレスデバイス900またはワイヤレスデバイス1000の対応する構成要素の一例であり得る基地局タイミングアドバンスマネージャ1100のブロック図を示す。すなわち、基地局タイミングアドバンスマネージャ1100は、図9および図10を参照しながら説明した基地局タイミングアドバンスマネージャ910または基地局タイミングアドバンスマネージャ1010の態様の一例であり得る。基地局タイミングアドバンスマネージャ1100は、図12を参照しながら説明する基地局タイミングアドバンスマネージャ1205の態様の一例であり得る。
【０１１１】
基地局タイミングアドバンスマネージャ1100は、長さ指示構成要素1105と、タイミングアドバンス構成要素1110と、探索処理構成要素1115と、フィラー長さ構成要素1120とを含み得る。これらのモジュールの各々は、直接または間接的に(たとえば、1つまたは複数のバスを介して)互いと通信し得る。
【０１１２】
長さ指示構成要素1105は、DL送信の終わりの後の送信ギャップの間にフィラー信号を送信することによって、フィラー信号の最大許容長さおよび共有RFスペクトル帯域を確保しようと試みるための許可をUEのうちの少なくとも1つに送信し得る。
【０１１３】
タイミングアドバンス構成要素1110は、基地局と少なくとも1つのUEとの間の伝搬遅延に少なくとも部分的に基づいて、少なくとも1つのUEに対するタイミングアドバンス値を識別し得る。
【０１１４】
探索処理構成要素1115は、DL送信の終わりの後に、ガード期間の長さとフィラー信号の最大許容長さによって指定された長さとの合計に対応する長さの後の少なくとも1つのUEからのUL送信のための共有RFスペクトル探索を処理することを開始し得る。
【０１１５】
フィラー長さ構成要素1120は、基地局のカバレージエリアに対するフィラー信号の最大許容長さを決定することであって、基地局が、TDDを使用する共有RFスペクトル帯域上でカバレージエリア内のUEのセットと通信するように構成される、決定することと、フィラー信号の最大許容長さおよびタイミングアドバンス値に少なくとも部分的に基づいて、少なくとも1つのUEに対するフィラー信号の長さを識別することとを行い得る。場合によっては、フィラー信号の最大許容長さは、カバレージエリアのエッジと基地局との間の最大往復信号遅延の長さに対応する。
【０１１６】
図12は、本開示の様々な態様による、eCCのためのタイミングアドバンス設計をサポートするデバイスを含むワイヤレスシステム1200の図を示す。たとえば、ワイヤレスシステム1200は、図1、図2および図9〜図11を参照しながら説明したようなワイヤレスデバイス900、ワイヤレスデバイス1000、または基地局105の一例であり得る基地局105-bを含み得る。基地局105-bはまた、通信を送信するための構成要素および通信を受信するための構成要素を含む、双方向音声およびデータ通信のための構成要素を含み得る。たとえば、基地局105-bは、1つまたは複数のUE115と双方向に通信し得る。
【０１１７】
基地局105-bはまた、基地局タイミングアドバンスマネージャ1205と、メモリ1210と、プロセッサ1220と、トランシーバ1225と、アンテナ1230と、基地局通信モジュール1235と、ネットワーク通信モジュール1240とを含み得る。これらのモジュールの各々は、直接または間接的に(たとえば、1つまたは複数のバスを介して)互いと通信し得る。基地局タイミングアドバンスマネージャ1205は、図9〜図11を参照しながら説明したような基地局タイミングアドバンスマネージャの一例であり得る。
【０１１８】
メモリ1210は、RAMおよびROMを含み得る。メモリ1210は、実行されると、本明細書で説明する様々な機能(たとえば、eCCのためのタイミングアドバンス設計など)をプロセッサに実行させる命令を含む、コンピュータ可読コンピュータ実行可能ソフトウェアを記憶し得る。場合によっては、ソフトウェア1215は、プロセッサによって直接実行可能ではない場合があるが、(たとえば、コンパイルされ、実行されると)本明細書で説明する機能をコンピュータに実行させ得る。プロセッサ1220は、インテリジェントハードウェアデバイス(たとえば、CPU、マイクロコントローラ、ASICなど)を含み得る。
【０１１９】
トランシーバ1225は、上記で説明したように、1つまたは複数のアンテナ、ワイヤードリンクまたはワイヤレスリンクを介して、1つまたは複数のネットワークと双方向に通信し得る。たとえば、トランシーバ1225は、基地局105またはUE115と双方向に通信し得る。トランシーバ1225はまた、パケットを変調し、変調されたパケットを送信のためにアンテナに与え、アンテナから受信されたパケットを復調するためのモデムを含み得る。場合によっては、ワイヤレスデバイスは、単一のアンテナ1230を含み得る。しかしながら、場合によっては、デバイスは、複数のワイヤレス送信を同時に送信または受信することが可能であり得る2つ以上のアンテナ1230を有し得る。
【０１２０】
基地局通信モジュール1235は、他の基地局105との通信を管理し得、他の基地局105と協調してUE115との通信を制御するためのコントローラまたはスケジューラを含み得る。たとえば、基地局通信モジュール1235は、ビームフォーミングまたはジョイント送信などの様々な干渉緩和技法のために、UE115への送信のためのスケジューリングを協調させ得る。いくつかの例では、基地局通信モジュール1235は、基地局105間の通信を行うために、LTE/LTE-Aワイヤレス通信ネットワーク技術内のX2インターフェースを提供し得る。
【０１２１】
ネットワーク通信モジュール1240は、(たとえば、1つまたは複数のワイヤードバックホールリンクを介した)コアネットワークとの通信を管理し得る。たとえば、ネットワーク通信モジュール1240は、1つまたは複数のUE115などのクライアントデバイスのためのデータ通信の転送を管理し得る。
【０１２２】
図13は、本開示の様々な態様による、eCCのためのタイミングアドバンス設計のための方法1300を示すフローチャートを示す。方法1300の動作は、図1および図2を参照しながら説明したようなUE115などのデバイスまたはその構成要素によって実施され得る。たとえば、方法1300の動作は、本明細書で説明するように、UEタイミングアドバンスマネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１２３】
ブロック1305において、UE115は、図2〜図4を参照しながら上記で説明したように、基地局によって構成されたフィラー信号の最大許容長さに少なくとも部分的に基づいて、フィラー信号の長さを識別し得る。いくつかの例では、ブロック1305の動作は、図6および図7を参照しながら説明したように、フィラー長さ構成要素によって実行され得る。
【０１２４】
ブロック1310において、UE115は、図2〜図4を参照しながら上記で説明したように、共有RFスペクトル帯域へのアクセスを確保するために、識別された長さのフィラー信号を送信し得、フィラー信号は、TDDにおけるDL送信とUL送信との間で生じる送信ギャップの間に送信される。いくつかの例では、ブロック1310の動作は、図6および図7を参照しながら説明したように、フィラー信号構成要素によって実行され得る。
【０１２５】
ブロック1315において、UE115は、図2〜図4を参照しながら上記で説明したように、フィラー信号の送信の後に、確保された共有RFスペクトル帯域上でUL送信を送信し得る。いくつかの例では、ブロック1315の動作は、図6および図7を参照しながら説明したように、アップリンク送信構成要素によって実行され得る。
【０１２６】
図14は、本開示の様々な態様による、eCCのためのタイミングアドバンス設計のための方法1400を示すフローチャートを示す。方法1400の動作は、図1および図2を参照しながら説明したようなUE115などのデバイスまたはその構成要素によって実施され得る。たとえば、方法1400の動作は、本明細書で説明するように、UEタイミングアドバンスマネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１２７】
ブロック1405において、UE115は、図2〜図4を参照しながら上記で説明したように、基地局によって構成されたパラメータからフィラー信号の最大許容長さを導出し得る。いくつかの例では、ブロック1405の動作は、図6および図7を参照しながら説明したように、フィラー長さ構成要素によって実行され得る。
【０１２８】
ブロック1410において、UE115は、図2〜図4を参照しながら上記で説明したように、基地局によって構成されたフィラー信号の最大許容長さに少なくとも部分的に基づいて、フィラー信号の長さを識別し得る。いくつかの例では、ブロック1410の動作は、図6および図7を参照しながら説明したように、フィラー長さ構成要素によって実行され得る。
【０１２９】
ブロック1415において、UE115は、図2〜図4を参照しながら上記で説明したように、共有RFスペクトル帯域へのアクセスを確保するために、識別された長さのフィラー信号を送信し得、フィラー信号は、TDDにおけるDL送信とUL送信との間で生じる送信ギャップの間に送信される。いくつかの例では、ブロック1415の動作は、図6および図7を参照しながら説明したように、フィラー信号構成要素によって実行され得る。
【０１３０】
ブロック1420において、UE115は、図2〜図4を参照しながら上記で説明したように、フィラー信号の送信の後に、確保された共有RFスペクトル帯域上でUL送信を送信し得る。いくつかの例では、ブロック1420の動作は、図6および図7を参照しながら説明したように、アップリンク送信構成要素によって実行され得る。
【０１３１】
図15は、本開示の様々な態様による、eCCのためのタイミングアドバンス設計のための方法1500を示すフローチャートを示す。方法1500の動作は、図1および図2を参照しながら説明したようなUE115などのデバイスまたはその構成要素によって実施され得る。たとえば、方法1500の動作は、本明細書で説明するように、UEタイミングアドバンスマネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１３２】
ブロック1505において、UE115は、図2〜図4を参照しながら上記で説明したように、基地局によって構成されたフィラー信号の最大許容長さに少なくとも部分的に基づいて、フィラー信号の長さを識別し得る。場合によっては、フィラー信号の識別された長さは、タイミングアドバンス値に少なくとも部分的に基づき、タイミングアドバンス値は、UEと基地局との間の伝搬遅延に少なくとも部分的に基づく。いくつかの例では、ブロック1505の動作は、図6および図7を参照しながら説明したように、フィラー長さ構成要素によって実行され得る。
【０１３３】
ブロック1510において、UE115は、図2〜図4を参照しながら上記で説明したように、共有RFスペクトル帯域へのアクセスを確保するために、識別された長さのフィラー信号を送信し得、フィラー信号は、TDDにおけるDL送信とUL送信との間で生じる送信ギャップの間に送信される。いくつかの例では、ブロック1510の動作は、図6および図7を参照しながら説明したように、フィラー信号構成要素によって実行され得る。
【０１３４】
ブロック1515において、UE115は、図2〜図4を参照しながら上記で説明したように、フィラー信号の送信の後に、確保された共有RFスペクトル帯域上でUL送信を送信し得る。いくつかの例では、ブロック1515の動作は、図6および図7を参照しながら説明したように、アップリンク送信構成要素によって実行され得る。
【０１３５】
ブロック1520において、UE115は、図2〜図4を参照しながら上記で説明したように、更新されたタイミングアドバンス値を識別し得る。いくつかの例では、ブロック1520の動作は、図6および図7を参照しながら説明したように、タイミングアドバンス構成要素によって実行され得る。
【０１３６】
ブロック1525において、UE115は、図2〜図4を参照しながら上記で説明したように、フィラー信号の最大許容長さおよび更新されたタイミングアドバンス値に少なくとも部分的に基づいて、フィラー信号の更新された長さを識別し得る。いくつかの例では、ブロック1525の動作は、図6および図7を参照しながら説明したように、フィラー長さ構成要素によって実行され得る。
【０１３７】
ブロック1530において、UE115は、図2〜図4を参照しながら上記で説明したように、後続のDL送信と後続のUL送信との間で生じる後続の送信ギャップの間に、更新された長さの後続のフィラー信号を送信し得る。いくつかの例では、ブロック1530の動作は、図6および図7を参照しながら説明したように、フィラー信号構成要素によって実行され得る。
【０１３８】
ブロック1535において、UE115は、図2〜図4を参照しながら上記で説明したように、後続のフィラー信号の送信の後に、後続のUL送信を送信し得る。いくつかの例では、ブロック1535の動作は、図6および図7を参照しながら説明したように、アップリンク送信構成要素によって実行され得る。
【０１３９】
図16は、本開示の様々な態様による、eCCのためのタイミングアドバンス設計のための方法1600を示すフローチャートを示す。方法1600の動作は、図1および図2を参照しながら説明したような基地局105などのデバイスまたはその構成要素によって実施され得る。たとえば、方法1600の動作は、本明細書で説明するように、基地局タイミングアドバンスマネージャによって実行され得る。いくつかの例では、基地局105は、以下で説明する機能を実行するようにデバイスの機能要素を制御するためのコードのセットを実行し得る。追加または代替として、基地局105は、専用ハードウェアを使用して、以下で説明する機能の態様を実行し得る。
【０１４０】
ブロック1605において、基地局105は、基地局のカバレージエリアに対するフィラー信号の最大許容長さを決定し得る。基地局は、図2〜図4を参照しながら上記で説明したように、TDDを使用する共有RFスペクトル帯域上でカバレージエリア内のUEのセットと通信するように構成され得る。いくつかの例では、ブロック1605の動作は、図10および図11を参照しながら説明したように、フィラー長さ構成要素によって実行され得る。
【０１４１】
ブロック1610において、基地局105は、図2〜図4を参照しながら上記で説明したように、DL送信の終わりの後の送信ギャップの間にフィラー信号を送信することによって、フィラー信号の最大許容長さおよび共有RFスペクトル帯域を確保しようと試みるための許可をUEのうちの少なくとも1つに送信し得る。いくつかの例では、ブロック1610の動作は、図10および図11を参照しながら説明したように、長さ指示構成要素によって実行され得る。
【０１４２】
図17は、本開示の様々な態様による、eCCのためのタイミングアドバンス設計のための方法1700を示すフローチャートを示す。方法1700の動作は、図1および図2を参照しながら説明したような基地局105などのデバイスまたはその構成要素によって実施され得る。たとえば、方法1700の動作は、本明細書で説明するように、基地局タイミングアドバンスマネージャによって実行され得る。いくつかの例では、基地局105は、以下で説明する機能を実行するようにデバイスの機能要素を制御するためのコードのセットを実行し得る。追加または代替として、基地局105は、専用ハードウェアを使用して、以下で説明する機能の態様を実行し得る。
【０１４３】
ブロック1705において、基地局105は、基地局のカバレージエリアに対するフィラー信号の最大許容長さを決定し得る。基地局は、図2〜図4を参照しながら上記で説明したように、TDDを使用する共有RFスペクトル帯域上でカバレージエリア内のUEのセットと通信するように構成され得る。いくつかの例では、ブロック1705の動作は、図10および図11を参照しながら説明したように、フィラー長さ構成要素によって実行され得る。
【０１４４】
ブロック1710において、基地局105は、図2〜図4を参照しながら上記で説明したように、DL送信の終わりの後の送信ギャップの間にフィラー信号を送信することによって、フィラー信号の最大許容長さおよび共有RFスペクトル帯域を確保しようと試みるための許可をUEのうちの少なくとも1つに送信し得る。いくつかの例では、ブロック1710の動作は、図10および図11を参照しながら説明したように、長さ指示構成要素によって実行され得る。
【０１４５】
ブロック1715において、基地局105は、図2〜図4を参照しながら上記で説明したように、DL送信の終わりの後に、ガード期間の長さとフィラー信号の最大許容長さによって指定された長さとの合計に対応する長さの後の少なくとも1つのUEからのUL送信のための共有RFスペクトル探索を処理することを開始し得る。いくつかの例では、ブロック1715の動作は、図10および図11を参照しながら説明したように、探索処理構成要素によって実行され得る。
【０１４６】
これらの方法は、可能な実装形態について説明しており、動作およびステップは、他の実装形態が可能であるように並べ替えられるか、または別の方法で修正される場合があることに留意されたい。いくつかの例では、方法のうちの2つ以上からの態様が組み合わされてもよい。たとえば、方法の各々の態様は、その他の方法のステップもしくは態様、または本明細書で説明する他のステップもしくは技法を含み得る。このようにして、本開示の態様は、eCCのためのタイミングアドバンス設計を実現し得る。
【０１４７】
本明細書での説明は、当業者が本開示を作成または使用することを可能にするために与えられる。本開示に対する様々な修正は、当業者に容易に明らかになり、本明細書で定義する一般原理は、本開示の範囲を逸脱することなく他の変形形態に適用され得る。したがって、本開示は、本明細書で説明する例および設計に限定されるべきではなく、本明細書で開示する原理および新規の特徴と一致する最も広い範囲を与えられるべきである。
【０１４８】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとしてコンピュータ可読媒体上に記憶されるか、またはコンピュータ可読媒体を介して送信され得る。他の例および実装形態は、本開示の範囲および添付の特許請求の範囲内にある。たとえば、ソフトウェアの性質により、上記で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理(物理)ロケーションにおいて実装されるように分散されることを含めて、様々な位置に物理的に配置され得る。また、特許請求の範囲内を含めて、本明細書で使用する場合、項目のリスト(たとえば、「のうちの少なくとも1つ」または「1つまたは複数の」などの句で始まるまたは終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。
【０１４９】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、あるいは、命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を含むことができる。また、いかなる接続も適切にコンピュータ可読媒体と呼ばれる。たとえば、ソフトウェアが、同軸ケーブル、光ファイバケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク（登録商標）(disc)、光ディスク(disc)、デジタル多用途ディスク(disc)(DVD)、フロッピー（登録商標）ディスク(disk)およびBlu-ray（登録商標）ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１５０】
本明細書で説明する技法は、CDMA、TDMA、FDMA、OFDMA、シングルキャリア周波数分割多元接続(SC-FDMA)、および他のシステムなどの様々なワイヤレス通信システムに使用され得る。「システム」および「ネットワーク」という用語は、しばしば互換的に使用される。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA（登録商標）)およびCDMAの他の変形態を含む。TDMAシステムは、モバイル通信用グローバルシステム(GSM（登録商標）)などの無線技術を実装し得る。OFDMAシステムは、ウルトラモバイルブロードバンド(UMB)、発展型UTRA(E-UTRA)、IEEE802.11、IEEE802.16(WiMAX)、IEEE802.20、Flash-OFDMなどの無線技術を実装し得る。UTRAおよびE-UTRAは、ユニバーサルモバイルテレコミュニケーションズシステム(Universal Mobile Telecommunications System(UMTS))の一部である。3GPP LTEおよびLTEアドバンスト(LTE-A)は、E-UTRAを使用するUMTSの新たなリリースである。UTRA、E-UTRA、UMTS、LTE、LTE-A、およびGSM（登録商標）は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明する技法は、上述のシステムおよび無線技術、ならびに他のシステムおよび無線技術に使用され得る。しかしながら、本明細書での説明は、例としてLTEシステムについて説明し、上記の説明の大部分においてLTE用語が使用されるが、本技法はLTE適用例以外に適用可能である。
【０１５１】
本明細書で説明するネットワークを含むLTE/LTE-Aネットワークでは、発展型ノードB(eNB)という用語は、概して、基地局を表すために使用され得る。本明細書で説明する1つまたは複数のワイヤレス通信システムは、異なるタイプのeNBが様々な地理的領域にカバレージを提供する、異種LTE/LTE-Aネットワークを含み得る。たとえば、各eNBまたは基地局は、マクロセル、スモールセル、または他のタイプのセルに通信カバレージを提供し得る。「セル」という用語は、文脈に応じて、基地局、基地局に関連付けられたキャリアもしくはコンポーネントキャリア(CC)、またはキャリアもしくは基地局のカバレージエリア(たとえば、セクタなど)を表すために使用され得る3GPP用語である。
【０１５２】
基地局は、基地トランシーバ局、無線基地局、アクセスポイント(AP)、無線トランシーバ、ノードB、eノードB(eNB)、ホームノードB、ホームeノードB、もしくは何らかの他の適切な用語を含み得るか、または当業者によってそのように呼ばれることがある。基地局のための地理的カバレージエリアは、カバレージエリアの一部分のみを構成するセクタに分割され得る。本明細書で説明する1つまたは複数のワイヤレス通信システムは、異なるタイプの基地局(たとえば、マクロセル基地局またはスモールセル基地局)を含み得る。本明細書で説明するUEは、マクロeNB、スモールセルeNB、中継基地局などを含む、様々なタイプの基地局およびネットワーク機器と通信することが可能であり得る。異なる技術のための重複する地理的カバレージエリアがあり得る。場合によっては、異なるカバレージエリアは、異なる通信技術に関連付けられ得る。場合によっては、ある通信技術のためのカバレージエリアは、別の技術に関連付けられたカバレージエリアと重複し得る。異なる技術は、同じ基地局に、または異なる基地局に関連付けられ得る。
【０１５３】
マクロセルは、一般に、比較的大きい地理的エリア(たとえば、半径数キロメートル)をカバーし、ネットワークプロバイダのサービスに加入しているUEによる無制限アクセスを可能にし得る。スモールセルは、マクロセルと比較して、マクロセルと同じまたはマクロセルとは異なる(たとえば、認可、無認可などの)周波数帯域で動作し得る低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているUEによる無制限アクセスを可能にし得る。フェムトセルも、小さい地理的エリア(たとえば、自宅)をカバーし得、フェムトセルとの関連を有するUE(たとえば、限定加入者グループ(CSG)内のUE、自宅内のユーザのためのUEなど)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、CC)をサポートし得る。UEは、マクロeNB、スモールセルeNB、中継基地局などを含む、様々なタイプの基地局およびネットワーク機器と通信することが可能であり得る。
【０１５４】
本明細書で説明する1つまたは複数のワイヤレス通信システムは、同期動作または非同期動作をサポートし得る。同期動作の場合、基地局は同様のフレームタイミングを有することがあり、異なる基地局からの送信は時間的にほぼ整合されることがある。非同期動作の場合、基地局は異なるフレームタイミングを有することがあり、異なる基地局からの送信は時間的に整合されないことがある。本明細書で説明する技法は、同期動作または非同期動作のいずれかに使用され得る。
【０１５５】
本明細書で説明するDL送信は順方向リンク送信と呼ばれることもあり、UL送信は逆方向リンク送信と呼ばれることもある。たとえば、図1および図2のワイヤレス通信システム100およびワイヤレス通信システム200を含む、本明細書で説明する各通信リンクは、1つまたは複数のキャリアを含んでもよく、各キャリアは、複数のサブキャリア(たとえば、異なる周波数の波形信号)から構成される信号であってもよい。各被変調信号は、異なるサブキャリア上で送られてもよく、制御情報(たとえば、基準信号、制御チャネルなど)、オーバーヘッド情報、ユーザデータなどを搬送してもよい。本明細書で説明する通信リンク(たとえば、図1の通信リンク125)は、FDD動作(たとえば、対スペクトルリソースを使用する)またはTDD動作(たとえば、不対スペクトルリソースを使用する)を使用して、双方向通信を送信し得る。FDD(たとえば、フレーム構造タイプ1)およびTDD(たとえば、フレーム構造タイプ2)のためのフレーム構造が定義され得る。
【０１５６】
このようにして、本開示の態様は、eCCのためのタイミングアドバンス設計を実現し得る。これらの方法は、可能な実装形態について説明しており、動作およびステップは、他の実装形態が可能であるように並べ替えられるか、または別の方法で修正される場合があることに留意されたい。いくつかの例では、方法のうちの2つ以上からの態様が組み合わされてもよい。
【０１５７】
本明細書の本開示に関して説明する様々な例示的なブロックおよびモジュールは、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。したがって、本明細書で説明する機能は、1つまたは複数の他の処理ユニット(またはコア)によって、少なくとも1つの集積回路(IC)上で実行され得る。様々な例では、当技術分野で知られている任意の様式でプログラムされ得る、異なるタイプのIC(たとえば、ストラクチャード/プラットフォームASIC、FPGA、または別のセミカスタムIC)が使用され得る。各ユニットの機能はまた、全体的にまたは部分的に、1つまたは複数の汎用プロセッサまたは特定用途向けプロセッサによって実行されるようにフォーマットされた、メモリにおいて具現化された命令を用いて実装され得る。
【０１５８】
添付の図では、同様の構成要素または特徴は、同じ参照ラベルを有する場合がある。さらに、同じタイプの様々な構成要素は、参照ラベルの後に、ダッシュと、同様の構成要素を区別する第2のラベルとを続けることによって区別される場合がある。第1の参照ラベルのみが本明細書で使用される場合、説明は、第2の参照ラベルにかかわらず、同じ第1の参照ラベルを有する同様の構成要素のうちのいずれにも適用可能である。
【符号の説明】
【０１５９】
100  ワイヤレス通信システム
105  サービング基地局
105-a，105-b，105-c  ネットワークデバイス
110  地理的カバレージエリア
115，115-a，115-b  ユーザ機器(UE)
125  通信リンク
130  コアネットワーク
132，134  バックホールリンク
202，202-a，202-b  タイムライン
204-a，204-b，204-c，204-d，204-e，204-f，204-g，204-g-1  スロット目盛り
206，206-a，206-b，206-c，206-d  フィラー信号
208-a，208-b，208-c，208-d，208-e  サブフレーム
208-f  ダウンリンク(DL)送信バースト
308-a，308-b，308-c  サブフレーム
308-d，308-e，308-f  アップリンク(UL)送信バースト
310  タイミングアドバンス値
402  ブレース
404  タイミングギャップ
406  ガード期間
408  フィラー信号
408-a，408-b，410-a，410-b，412-a，412-b  サブタイムライン
412-1  破線
500  ワイヤレスデバイス
505  受信機
510  UEタイミングアドバンスマネージャ
515  送信機
600  ワイヤレスデバイス
605  受信機
610  UEタイミングアドバンスマネージャ
615  フィラー長さ構成要素
620  フィラー信号構成要素
625  アップリンク送信構成要素
630  送信機
700  UEタイミングアドバンスマネージャ
705  フィラー長さ構成要素
710  送信端構成要素
715  ガード期間構成要素
720  タイミングアドバンス構成要素
725  フィラー信号構成要素
730  アップリンク送信構成要素
800  システム
805  UEタイミングアドバンスマネージャ
810  メモリ
815  ソフトウェア
820  プロセッサ
825  トランシーバ
830  アンテナ
835  拡張コンポーネントキャリア(eCC)モジュール
900  ワイヤレスデバイス
905  受信機
910  基地局タイミングアドバンスマネージャ
915  送信機
1000  ワイヤレスデバイス
1005  受信機
1010  基地局タイミングアドバンスマネージャ
1015  長さ指示構成要素
1020  フィラー長さ構成要素
1025  送信機
1100  基地局タイミングアドバンスマネージャ
1105  長さ指示構成要素
1110  タイミングアドバンス構成要素
1115  探索処理構成要素
1120  フィラー長さ構成要素
1205  基地局タイミングアドバンスマネージャ
1210  メモリ
1215  ソフトウェア
1220  プロセッサ
1225  トランシーバ
1230  アンテナ
1235  基地局通信モジュール
1240  ネットワーク通信モジュール
【図１】
2020043599.tif 000003
【図２】
2020043599.tif 000004
【図３】
2020043599.tif 000005
【図４】
2020043599.tif 000006
【図５】
2020043599.tif 000007
【図６】
2020043599.tif 000008
【図７】
2020043599.tif 000009
【図８】
2020043599.tif 000010
【図９】
2020043599.tif 000011
【図１０】
2020043599.tif 000012
【図１１】
2020043599.tif 000013
【図１２】
2020043599.tif 000014
【図１３】
2020043599.tif 000015
【図１４】
2020043599.tif 000016
【図１５】
2020043599.tif 000017
【図１６】
2020043599.tif 000018
【図１７】
2020043599.tif 000019
【外国語明細書】
2020043599000001.pdf